(57)【特許請求の範囲】
【請求項１】
ワイヤレス通信のための方法であって、
ユーザ機器（ＵＥ）によって、第１の非アクセス層（ＮＡＳ）メッセージを、制御プレーンを介してコアネットワークに送信することと、
前記ＵＥによって、前記ＵＥに関連付けられたポリシー情報を含む第２のＮＡＳメッセージを、前記制御プレーンを介して受信することと、前記第２のＮＡＳメッセージは、前記第１のＮＡＳメッセージに応答し、
前記第２のＮＡＳメッセージを前記受信することに少なくとも部分的に基づいて、前記ポリシー情報を識別することと、
前記受信したポリシー情報に少なくとも部分的に基づいて、前記ＵＥによって記憶されたポリシー情報を更新することと、
を備え、
前記ポリシー情報を識別することは、前記ＵＥが接続される訪問先コアネットワークからのポリシー情報を、前記ＵＥのホームコアネットワークからのポリシー情報よりも高い優先度を付けることを備え、
前記ＵＥによって記憶された前記ポリシー情報を前記更新することは、前記優先度に少なくとも部分的に基づく、方法。
【請求項２】
前記第２のＮＡＳメッセージを前記受信することに少なくとも部分的に基づいて、前記制御プレーンを介して確認応答ＮＡＳメッセージを送信することをさらに備える、請求項１に記載の方法。
【請求項３】
前記ＵＥが前記ＵＥに関連付けられた前記ポリシー情報を前記コアネットワークから受信すべきであることを示すポリシープロビジョニングトリガを識別することと、
をさらに備える、請求項１に記載の方法。
【請求項４】
更新されるべき個々のポリシーを識別することをさらに備え、前記第１のＮＡＳメッセージは、前記個々のポリシーを示すデータを含み、ここにおいて、前記ポリシープロビジョニングトリガを前記識別することは、前記個々のポリシーを前記識別することに少なくとも部分的に基づく、請求項３に記載の方法。
【請求項５】
前記ＵＥのロケーションを識別することをさらに備え、前記ポリシープロビジョニングトリガを前記識別することは、前記ロケーションを前記識別することに少なくとも部分的に基づく、請求項３に記載の方法。
【請求項６】
前記制御プレーンを介して通信されることが可能な前記ポリシー情報の第１のサブセットを示す許可メッセージを受信することをさらに備え、前記第１のＮＡＳメッセージを前記送信することは、前記ポリシー情報の前記第１のサブセットに少なくとも部分的に基づく、請求項３に記載の方法。
【請求項７】
前記第１のＮＡＳメッセージは、特定のポリシー情報識別子を除いた前記ポリシー情報を求める要求を含む、請求項３に記載の方法。
【請求項８】
前記第１のＮＡＳメッセージは、登録要求メッセージ、サービス要求メッセージ、ＮＡＳトランスポートメッセージ、またはセッション管理メッセージのうちの１つである、請求項３に記載の方法。
【請求項９】
ワイヤレス通信のための方法であって、
ユーザ機器（ＵＥ）から制御プレーンシグナリングを介して第１のメッセージを受信することと、
前記第１のメッセージを前記受信することに少なくとも部分的に基づいて、前記ＵＥが前記ＵＥに関連付けられたポリシー情報をコアネットワークから受信すべきであることを示すポリシープロビジョニングトリガを識別することと、
前記ポリシープロビジョニングトリガに少なくとも部分的に基づいて、前記ポリシー情報を識別することと、
制御プレーンシグナリングを介して前記ＵＥに第２のメッセージを送信することと、前記第２のメッセージは、前記識別されたポリシー情報を含む、
を備え、
前記ポリシー情報を識別することは、
前記ＵＥがホームコアネットワークではなく訪問先コアネットワークに接続されるように前記ＵＥがローミングしていると識別することに応答して、前記ホームコアネットワークに、ポリシー情報を要求することと、
前記ホームコアネットワークからのポリシー情報と前記訪問先コアネットワークからのポリシー情報とを組み合わせることと、前記組み合わせることは、前記訪問先コアネットワークの1つまたは複数のポリシーと競合する、前記ホームコアネットワークからのポリシー情報を削除することを備え、
を備え、前記第２のメッセージは、前記組み合わせられたポリシー情報を含む、方法。
【請求項１０】
ポリシーの変更を識別することをさらに備え、前記ポリシープロビジョニングトリガを前記識別することは、前記ポリシーの前記変更に少なくとも部分的に基づく、請求項９に記載の方法。
【請求項１１】
前記ＵＥのロケーションの変更を識別することをさらに備え、前記ポリシープロビジョニングトリガを前記識別することは、前記ロケーションの前記変更に少なくとも部分的に基づく、請求項９に記載の方法。
【請求項１２】
ホームコアネットワークではなく訪問先コアネットワークに前記ＵＥが接続されるように前記ＵＥがローミングしていると識別することをさらに備える、請求項９に記載の方法。
【請求項１３】
訪問先コアネットワークエンティティによって、ホームポリシー管理エンティティに直接前記ポリシー情報を要求することをさらに備える、請求項９に記載の方法。
【請求項１４】
訪問先コアネットワークエンティティによって、前記ＵＥに関連付けられた訪問先ポリシー管理エンティティに前記ポリシー情報を要求することをさらに備える、請求項９に記載の方法。
【請求項１５】
前記訪問先ポリシー管理エンティティによって、前記ＵＥに関連付けられたホームポリシー管理エンティティに前記ポリシー情報を要求することをさらに備える、請求項１４に記載の方法。
【請求項１６】
前記訪問先ポリシー管理エンティティによって、前記ＵＥに関連付けられたホームポリシー管理エンティティにポリシー情報を要求するかどうかを決定することさらに備える、請求項１４に記載の方法。
【請求項１７】
前記ＵＥから制御プレーンシグナリングを介して確認応答メッセージを受信することをさらに備え、前記確認応答メッセージは、前記第２のメッセージを前記送信することに応答する、請求項９に記載の方法。
【請求項１８】
前記ＵＥが制御プレーンを介して受信することを許可されるのがどのポリシー情報であるかを識別することをさらに備え、前記第２のメッセージを前記送信することは、前記ＵＥが受信することを許可されるのがどのポリシー情報であるかを前記識別することに少なくとも部分的に基づく、請求項９に記載の方法。
【請求項１９】
前記ＵＥが接続モードにあるか、またはアイドルモードにあるかを決定することをさらに備え、前記第２のメッセージを前記送信することは、前記決定することに少なくとも部分的に基づく、請求項９に記載の方法。
【請求項２０】
前記第１のメッセージは、非アクセス層（ＮＡＳ）メッセージである、請求項９に記載の方法。
【請求項２１】
ワイヤレス通信のための装置であって、
プロセッサと、
前記プロセッサと電子通信するメモリと、
前記メモリに記憶された命令と、を備え、前記命令は、前記装置に、
ユーザ機器（ＵＥ）によって、第１の非アクセス層（ＮＡＳ）メッセージを、制御プレーンを介してコアネットワークに送信することと、
前記ＵＥによって、前記ＵＥに関連付けられたポリシー情報を含む第２のＮＡＳメッセージを、前記制御プレーンを介して受信することと、前記第２のＮＡＳメッセージは、第１のＮＡＳメッセージに応答し、
前記第２のＮＡＳメッセージを受信することに少なくとも部分的に基づいて、前記ポリシー情報を識別することと、
前記受信したポリシー情報に少なくとも部分的に基づいて、前記ＵＥによって記憶されたポリシー情報を更新することと、
を行わせるように前記プロセッサによって実行可能であり、
前記ポリシー情報を識別することは、前記ＵＥが接続される訪問先コアネットワークからのポリシー情報を、前記ＵＥのホームコアネットワークからのポリシー情報よりも高い優先度を付けることを備え、
前記ＵＥによって記憶された前記ポリシー情報を前記更新することは、前記優先度に少なくとも部分的に基づく、
装置。
【請求項２２】
前記命令は、前記装置に、
前記第２のＮＡＳメッセージを受信することに少なくとも部分的に基づいて、前記制御プレーンを介して確認応答ＮＡＳメッセージを送信すること
を行わせるように前記プロセッサによってさらに実行可能である、請求項２１に記載の装置。
【請求項２３】
前記命令は、前記装置に、
前記ＵＥが前記ＵＥに関連付けられた前記ポリシー情報を前記コアネットワークから受信すべきであることを示すポリシープロビジョニングトリガを識別すること、
を行わせるように前記プロセッサによってさらに実行可能である、請求項２１に記載の装置。
【請求項２４】
ワイヤレス通信のための装置であって、
プロセッサと、
前記プロセッサと電子通信するメモリと、
前記メモリに記憶された命令と、を備え、前記命令は、前記装置に、
ユーザ機器（ＵＥ）から制御プレーンシグナリングを介して第１のメッセージを受信することと、
前記第１のメッセージを受信することに少なくとも部分的に基づいて、前記ＵＥが前記ＵＥに関連付けられたポリシー情報をコアネットワークから受信すべきであることを示すポリシープロビジョニングトリガを識別することと、
前記ポリシープロビジョニングトリガに少なくとも部分的に基づいて、前記ポリシー情報を識別することと、
制御プレーンシグナリングを介して前記ＵＥに第２のメッセージを送信することと、前記第２のメッセージは、前記識別されたポリシー情報を含む、
を行わせるように前記プロセッサによって実行可能であり、
前記ポリシー情報を識別することは、
前記ＵＥがホームコアネットワークではなく訪問先コアネットワークに接続されるように前記ＵＥがローミングしていると識別することに応答して、前記ホームコアネットワークにポリシー情報を要求することと、
前記ホームコアネットワークからのポリシー情報と前記訪問先コアネットワークからのポリシー情報とを組み合わせることと、前記組み合わせることは、前記訪問先コアネットワークの1つまたは複数のポリシーと競合する、前記ホームコアネットワークからのポリシー情報を削除することを備え、
を備え、前記第２のメッセージは、前記組み合わせられたポリシー情報を含む、
装置。
【発明の詳細な説明】
【相互参照】
【０００１】
[0001]  本特許出願は、２０１７年３月２０日付で出願された「Policy Communication Via Control Plane Signaling」と題するGriot,et alによるギリシャ仮特許出願第２０１７／０１００１１０号、および２０１８年１月２２日付で出願された「Policy Communication Via Control Plane Signaling」と題するGriot, et alによる米国特許出願第第１５／８７７，２４１号に対する優先権を主張し、その各々が本願の譲り受け人に譲渡されている。
【技術分野】
【０００２】
[0002]  以下は、一般に、ワイヤレス通信に関し、より具体的には、制御プレーン信号を介するポリシー通信に関する。
【背景技術】
【０００３】
[0003]  ワイヤレス通信システムは、音声、映像、パケットデータ、メッセージング、ブロードキャストなどのような様々なタイプの通信コンテンツを提供するために広く展開されている。これらのシステムは、利用可能なシステムリソース（例えば、時間、周波数、および電力）を共有することによって複数のユーザとの通信をサポートすることが可能であり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロングタームエボリューション（ＬＴＥ（登録商標））システム、または新たな無線（ＮＲ：New Radio）システム）を含む。ワイヤレス多元接続通信システムは、いくつかの基地局またはアクセスネットワークノードを含み得、各々が、別名ユーザ機器（ＵＥ）として知られ得る複数の通信デバイスのための通信を同時にサポートする。
【０００４】
[0004]  いくつかのワイヤレス通信システムでは、ＵＥとネットワークとの間でポリシーが交換され得る。ポリシーは、通信リンクを確立し維持するために使用されるプロシージャのセットを定義し得る。ワイヤレス通信システムは、制御シグナリングオーバーヘッドを低減するためのポリシーを含んでいる。いくつかのプロシージャは頻繁に発生し、それらのプロシージャで使用される変数は、通信リンクのために非常に静的なままであることがある。ワイヤレス通信システム中の各エンティティにこれらのポリシーを記憶することによって、ネットワークシグナリングの混雑およびネットワークオーバーヘッドが低減され得る。
【発明の概要】
【０００５】
[0005]  ワイヤレス通信の方法が説明される。方法は、ユーザ機器（ＵＥ）によって、ＵＥに関連付けられたポリシー情報を含む第１の非アクセス層（ＮＡＳ:non-access stratum）メッセージを、制御プレーンで受信することと、第１のＮＡＳメッセージを受信することに少なくとも部分的に基づいて、ポリシー情報を識別することと、受信したポリシー情報に少なくとも部分的に基づいて、ＵＥによって記憶されたポリシー情報を更新することと、を含み得る。
【０００６】
[0006]  ワイヤレス通信のための装置が説明される。装置は、ユーザ機器（ＵＥ）によって、ＵＥに関連付けられたポリシー情報を含む第１の非アクセス層（ＮＡＳ）メッセージを、制御プレーンで受信するための手段と、第１のＮＡＳメッセージを受信することに少なくとも部分的に基づいて、ポリシー情報を識別するための手段と、受信したポリシー情報に少なくとも部分的に基づいて、ＵＥによって記憶されたポリシー情報を更新するための手段と、を含み得る。
【０００７】
[0007]  ワイヤレス通信のための別の装置が説明される。装置は、プロセッサと、プロセッサと電子通信するメモリと、メモリに記憶された命令とを含み得る。命令は、ユーザ機器（ＵＥ）によって、ＵＥに関連付けられたポリシー情報を含む第１の非アクセス層（ＮＡＳ）メッセージを、制御プレーンで受信することと、第１のＮＡＳメッセージを受信することに少なくとも部分的に基づいて、ポリシー情報を識別することと、受信したポリシー情報に少なくとも部分的に基づいて、ＵＥによって記憶されたポリシー情報を更新することと、をプロセッサに行わせるように動作可能であり得る。
【０００８】
[0008]  ワイヤレス通信のための非一時的コンピュータ可読媒体が説明される。非一時的コンピュータ可読媒体は、ユーザ機器（ＵＥ）によって、ＵＥに関連付けられたポリシー情報を含む第１の非アクセス層（ＮＡＳ）メッセージを、制御プレーンで受信することと、第１のＮＡＳメッセージを受信することに少なくとも部分的に基づいて、ポリシー情報を識別することと、受信したポリシー情報に少なくとも部分的に基づいて、ＵＥによって記憶されたポリシー情報を更新することと、をプロセッサに行わせるように動作可能な命令を含み得る。
【０００９】
[0009]  上述された方法、装置、および非一時的コンピュータ可読媒体のいくつかの例は、受信したポリシー情報をどのコアネットワークエンティティが生成したかに少なくとも部分的に基づいて、受信したポリシー情報を優先順位付けするための、処理、特徴、手段、または命令をさらに含み得、ポリシー情報を更新することは、優先順位付けに少なくとも部分的に基づき得る。
【００１０】
[0010]  上述された方法、装置、および非一時的コンピュータ可読媒体のいくつかの例は、訪問先コアネットワークから受信したポリシー情報の第１のサブセットを、ＵＥのホームコアネットワークから受信したポリシー情報の第２のサブセットよりも優先するための、処理、特徴、手段、または命令をさらに含み得、ポリシー情報を更新することは、優先順位付けに少なくとも部分的に基づき得る。
【００１１】
[0011]  上述された方法、装置、および非一時的コンピュータ可読媒体のいくつかの例は、第１のＮＡＳメッセージを受信することに少なくとも部分的に基づいて、制御プレーンで確認応答（acknowledgement）ＮＡＳメッセージを送信するための、処理、特徴、手段、または命令をさらに含み得る。
【００１２】
[0012]  上述された方法、装置、および非一時的コンピュータ可読媒体のいくつかの例は、ＵＥがＵＥに関連付けられたポリシー情報をコアネットワークから受信すべきであり得ることを示すポリシープロビジョニングトリガ（policy provisioning trigger）を識別するための、処理、特徴、手段、または命令をさらに含み得る。上述された方法、装置、および非一時的コンピュータ可読媒体のいくつかの例は、コアネットワークにポリシー情報を要求する第２のＮＡＳメッセージを、制御プレーンで送信するための、処理、特徴、手段、または命令をさらに含み得、第１のＮＡＳメッセージを受信することは、第２のＮＡＳメッセージを送信することに少なくとも部分的に基づき得る。
【００１３】
[0013]  上述された方法、装置、および非一時的コンピュータ可読媒体のいくつかの例は、更新されるべき個々のポリシー（an individual policy to be updated）を識別するための、処理、特徴、手段、または命令をさらに含み得、第２のＮＡＳメッセージは、個々のポリシー（an individual policy）を示すデータを含み、ここにおいて、ポリシープロビジョニングトリガを識別することは、個々のポリシーを識別することに少なくとも部分的に基づき得る。
【００１４】
[0014]  上述された方法、装置、および非一時的コンピュータ可読媒体のいくつかの例は、ＵＥのロケーションを識別するための、処理、特徴、手段、または命令をさらに含み得、ポリシープロビジョニングトリガを識別することは、ロケーションを識別することに少なくとも部分的に基づき得る。
【００１５】
[0015]  上述された方法、装置、および非一時的コンピュータ可読媒体のいくつかの例は、制御プレーンで通信されることが可能なポリシー情報の第１のサブセットを示す許可メッセージを受信するための、処理、特徴、手段、または命令をさらに含み得、第２のＮＡＳメッセージを送信することは、ポリシー情報の第１のサブセットに少なくとも部分的に基づき得る。
【００１６】
[0016]  上述された方法、装置、および非一時的コンピュータ可読媒体のいくつかの例では、第２のＮＡＳメッセージは、任意の特定のポリシー情報識別子を除いた（exclusive of any specific policy information identifiers）ポリシー情報を求める要求を含む。
【００１７】
[0017]  上述された方法、装置、および非一時的コンピュータ可読媒体のいくつかの例では、第２のＮＡＳメッセージは、登録要求メッセージ、サービス要求メッセージ、ＮＡＳトランスポートメッセージ、またはセッション管理メッセージのうちの１つであり得る。
【００１８】
[0018]  上述された方法、装置、および非一時的コンピュータ可読媒体のいくつかの例では、第１のＮＡＳメッセージは、ＵＥがポリシー要求メッセージを送信することなく生成され得る。
【００１９】
[0019]  ワイヤレス通信のための方法が説明される。方法は、ユーザ機器（ＵＥ）がＵＥに関連付けられたポリシー情報をコアネットワークから受信すべきであることを示すポリシープロビジョニングトリガを識別することと、ポリシープロビジョニングトリガに少なくとも部分的に基づいて、ポリシー情報を識別することと、制御プレーンシグナリングを介してＵＥに第１のメッセージを送信することと、を含み得、第１のメッセージは、識別されたポリシー情報を含む。
【００２０】
[0020]  ワイヤレス通信のための装置が説明される。装置は、ユーザ機器（ＵＥ）がＵＥに関連付けられたポリシー情報をコアネットワークから受信すべきであることを示すポリシープロビジョニングトリガを識別するための手段と、ポリシープロビジョニングトリガに少なくとも部分的に基づいて、ポリシー情報を識別するための手段と、制御プレーンシグナリングを介してＵＥに第１のメッセージを送信するための手段と、を含み得、第１のメッセージは、識別されたポリシー情報を含む。
【００２１】
[0021]  ワイヤレス通信のための別の装置が説明される。装置は、プロセッサと、プロセッサと電子通信するメモリと、メモリに記憶された命令とを含み得る。命令は、ユーザ機器（ＵＥ）がＵＥに関連付けられたポリシー情報をコアネットワークから受信すべきであることを示すポリシープロビジョニングトリガを識別することと、ポリシープロビジョニングトリガに少なくとも部分的に基づいて、ポリシー情報を識別することと、制御プレーンシグナリングを介してＵＥに第１のメッセージを送信することと、をプロセッサに行わせるように動作可能であり得、第１のメッセージは、識別されたポリシー情報を含む。
【００２２】
[0022]  ワイヤレス通信のための非一時的コンピュータ可読媒体が説明される。非一時的コンピュータ可読媒体は、ユーザ機器（ＵＥ）がＵＥに関連付けられたポリシー情報をコアネットワークから受信すべきであることを示すポリシープロビジョニングトリガを識別することと、ポリシープロビジョニングトリガに少なくとも部分的に基づいて、ポリシー情報を識別することと、制御プレーンシグナリングを介してＵＥに第１のメッセージを送信することと、をプロセッサに行わせるように動作可能な命令を含み得、第１のメッセージは、識別されたポリシー情報を含む。
【００２３】
[0023]  上述された方法、装置、および非一時的コンピュータ可読媒体のいくつかの例は、制御プレーンシグナリングを介してＵＥから第２のメッセージを受信するための、処理、特徴、手段、または命令をさらに含み得、第２のメッセージは、コアネットワークにポリシー情報を要求し、ポリシープロビジョニングトリガを識別することは、第２のメッセージを受信することに少なくとも部分的に基づき得る。
【００２４】
[0024]  上述された方法、装置、および非一時的コンピュータ可読媒体のいくつかの例は、ポリシーの変更を識別するための、処理、特徴、手段、または命令をさらに含み得、ポリシープロビジョニングトリガを識別することは、ポリシーの変更に少なくとも部分的に基づき得る。
【００２５】
[0025]  上述された方法、装置、および非一時的コンピュータ可読媒体のいくつかの例は、ＵＥのロケーションの変更を識別するための、処理、特徴、手段、または命令をさらに含み得、ポリシープロビジョニングトリガを識別することは、ロケーションの変更に少なくとも部分的に基づき得る。
【００２６】
[0026]  上述された方法、装置、および非一時的コンピュータ可読媒体のいくつかの例は、ホームコアネットワークではなく訪問先（visiting）コアネットワークにＵＥが接続され得るようにＵＥがローミングし得ると識別するための、処理、特徴、手段、または命令をさらに含み得る。
【００２７】
[0027]  上述された方法、装置、および非一時的コンピュータ可読媒体のいくつかの例は、訪問先コアネットワークエンティティによって、ホームポリシー管理エンティティに直接ポリシー情報を要求するための、処理、特徴、手段、または命令をさらに含み得る。
【００２８】
[0028]  上述された方法、装置、および非一時的コンピュータ可読媒体のいくつかの例は、第１の訪問先コアネットワークエンティティによって、ＵＥに関連付けられた訪問先ポリシー管理エンティティにポリシー情報を要求するための、処理、特徴、手段、または命令をさらに含み得る。
【００２９】
[0029]  上述された方法、装置、および非一時的コンピュータ可読媒体のいくつかの例は、訪問先ポリシー管理エンティティによって、ＵＥに関連付けられたホームポリシー管理エンティティにポリシー情報を要求するための、処理、特徴、手段、または命令をさらに含み得る。
【００３０】
[0030]  上述された方法、装置、および非一時的コンピュータ可読媒体のいくつかの例は、競合解消プロシージャ（conflict resolution procedure）に少なくとも部分的に基づいて、ホームポリシー管理エンティティからのポリシー情報と訪問先ポリシー管理エンティティからのポリシー情報とを組み合わせるための（combining）、処理、特徴、手段、または命令をさらに含み得、第１のメッセージは、組み合わせられたポリシー情報を含む。
【００３１】
[0031]  上述された方法、装置、および非一時的コンピュータ可読媒体のいくつかの例は、訪問先ポリシー管理エンティティによって、ＵＥに関連付けられたホームポリシー管理エンティティにポリシー情報を要求するかどうかを決定するための、処理、特徴、手段、または命令をさらに含み得る。
【００３２】
[0032]  上述された方法、装置、および非一時的コンピュータ可読媒体のいくつかの例は、第１のメッセージを送信することに少なくとも部分的に基づいて、ＵＥから制御プレーンシグナリングで確認応答メッセージを受信するための、処理、特徴、手段、または命令をさらに含み得る。
【００３３】
[0033]  上述された方法、装置、および非一時的コンピュータ可読媒体のいくつかの例は、ＵＥが制御プレーンで受信することを許可され得るのがどのポリシー情報であり得るかを識別するための、処理、特徴、手段、または命令をさらに含み得、第１のメッセージを送信することは、識別することに少なくとも部分的に基づき得る。
【００３４】
[0034]  上述された方法、装置、および非一時的コンピュータ可読媒体のいくつかの例は、ＵＥが接続モードにあり得るか、またはアイドルモードにあり得るかを決定するための、処理、特徴、手段、または命令をさらに含み得、第１のメッセージを送信することは、決定することに少なくとも部分的に基づき得る。
【００３５】
[0035]   上述された方法、装置、および非一時的コンピュータ可読媒体のいくつかの例では、第１の制御メッセージは、非アクセス層（ＮＡＳ）メッセージであり得る。
【００３６】
[0036]  ワイヤレス通信のための方法が説明される。方法は、ユーザ機器（ＵＥ）によって、ＵＥに関連付けられたポリシー情報を含む非アクセス層（ＮＡＳ）メッセージを、制御プレーンで受信することと、受信したポリシー情報に少なくとも部分的に基づいて、ＵＥによって記憶されたポリシー情報を更新することと、を含み得る。
【００３７】
[0037]  ワイヤレス通信のための装置が説明される。装置は、ユーザ機器（ＵＥ）によって、ＵＥに関連付けられたポリシー情報を含む非アクセス層（ＮＡＳ）メッセージを、制御プレーンで受信するための手段と、受信したポリシー情報に少なくとも部分的に基づいて、ＵＥによって記憶されたポリシー情報を更新するための手段と、を含み得る。
【００３８】
[0038]  ワイヤレス通信のための別の装置が説明される。装置は、プロセッサと、プロセッサと電子通信するメモリと、メモリに記憶された命令とを含み得る。命令は、ユーザ機器（ＵＥ）によって、ＵＥに関連付けられたポリシー情報を含む非アクセス層（ＮＡＳ）メッセージを、制御プレーンで受信することと、受信したポリシー情報に少なくとも部分的に基づいて、ＵＥによって記憶されたポリシー情報を更新することと、をプロセッサに行わせるように動作可能であり得る。
【００３９】
[0039]  ワイヤレス通信のための非一時的コンピュータ可読媒体が説明される。非一時的コンピュータ可読媒体は、ユーザ機器（ＵＥ）によって、ＵＥに関連付けられたポリシー情報を含む非アクセス層（ＮＡＳ）メッセージを、制御プレーンで受信することと、受信したポリシー情報に少なくとも部分的に基づいて、ＵＥによって記憶されたポリシー情報を更新することと、をプロセッサに行わせるように動作可能な命令を含み得る。
【００４０】
[0040]  上述された方法、装置、および非一時的コンピュータ可読媒体のいくつかの例は、受信したポリシー情報をどのコアネットワークエンティティが生成したかに少なくとも部分的に基づいて、受信したポリシー情報を優先順位付けするための、処理、特徴、手段、または命令をさらに含み得、ポリシー情報を更新することは、優先順位付けに少なくとも部分的に基づき得る。
【００４１】
[0041]  上述された方法、装置、および非一時的コンピュータ可読媒体のいくつかの例は、訪問先コアネットワークから受信したポリシー情報の第１のサブセットを、ＵＥのホームコアネットワークから受信したポリシー情報の第２のサブセットよりも優先するための、処理、特徴、手段、または命令をさらに含み得、ポリシー情報を更新することは、優先順位付けに少なくとも部分的に基づき得る。
【００４２】
[0042]  上述された方法、装置、および非一時的コンピュータ可読媒体のいくつかの例は、ＮＡＳメッセージを受信することに少なくとも部分的に基づいて、制御プレーンで確認応答ＮＡＳメッセージを送信するための、処理、特徴、手段、または命令をさらに含み得る。
【００４３】
[0043]  上述された方法、装置、および非一時的コンピュータ可読媒体のいくつかの例では、ＮＡＳメッセージは、ＵＥがポリシー要求メッセージを送信することなく生成され得る。
【００４４】
[0044]  ワイヤレス通信のための方法が説明される。方法は、ユーザ機器（ＵＥ）がＵＥに関連付けられたポリシー情報をコアネットワークから受信すべきであることを示すポリシープロビジョニングトリガを識別することと、コアネットワークにポリシー情報を要求する第１の非アクセス層（ＮＡＳ）メッセージを、制御プレーンで送信することと、ポリシー情報を含む第２のＮＡＳメッセージを、制御プレーンで受信することと、を含み得、第２のＮＡＳメッセージは、第１のＮＡＳメッセージに少なくとも部分的に基づく。
【００４５】
[0045]  ワイヤレス通信のための装置が説明される。装置は、ユーザ機器（ＵＥ）がＵＥに関連付けられたポリシー情報をコアネットワークから受信すべきであることを示すポリシープロビジョニングトリガを識別するための手段と、コアネットワークにポリシー情報を要求する第１の非アクセス層（ＮＡＳ）メッセージを、制御プレーンで送信するための手段と、ポリシー情報を含む第２のＮＡＳメッセージを、制御プレーンで受信するための手段と、を含み得、第２のＮＡＳメッセージは、第１のＮＡＳメッセージに少なくとも部分的に基づく。
【００４６】
[0046]  ワイヤレス通信のための別の装置が説明される。装置は、プロセッサと、プロセッサと電子通信するメモリと、メモリに記憶された命令とを含み得る。命令は、ユーザ機器（ＵＥ）がＵＥに関連付けられたポリシー情報をコアネットワークから受信すべきであることを示すポリシープロビジョニングトリガを識別することと、コアネットワークにポリシー情報を要求する第１の非アクセス層（ＮＡＳ）メッセージを、制御プレーンで送信することと、ポリシー情報を含む第２のＮＡＳメッセージを、制御プレーンで受信することと、をプロセッサに行わせるように動作可能であり得、第２のＮＡＳメッセージは、第１のＮＡＳメッセージに少なくとも部分的に基づく。
【００４７】
[0047]  ワイヤレス通信のための非一時的コンピュータ可読媒体が説明される。非一時的コンピュータ可読媒体は、ユーザ機器（ＵＥ）がＵＥに関連付けられたポリシー情報をコアネットワークから受信すべきであることを示すポリシープロビジョニングトリガを識別することと、コアネットワークにポリシー情報を要求する第１の非アクセス層（ＮＡＳ）メッセージを、制御プレーンで送信することと、ポリシー情報を含む第２のＮＡＳメッセージを、制御プレーンで受信することと、をプロセッサに行わせるように動作可能な命令を含み得、第２のＮＡＳメッセージは、第１のＮＡＳメッセージに少なくとも部分的に基づく。
【００４８】
[0048]  上述された方法、装置、および非一時的コンピュータ可読媒体のいくつかの例は、受信したポリシー情報に少なくとも部分的に基づいて、ＵＥによって記憶されたポリシー情報を更新するための、処理、特徴、手段、または命令をさらに含み得る。
【００４９】
[0049]  上述された方法、装置、および非一時的コンピュータ可読媒体のいくつかの例は、訪問先コアネットワークから受信したポリシー情報の第１のサブセットを、ＵＥのホームコアネットワークから受信したポリシー情報の第２のサブセットよりも優先するための、処理、特徴、手段、または命令をさらに含み得る。
【００５０】
[0050]  上述された方法、装置、および非一時的コンピュータ可読媒体のいくつかの例は、第２のＮＡＳメッセージを受信することに少なくとも部分的に基づいて、制御プレーンで確認応答ＮＡＳメッセージを送信するための、処理、特徴、手段、または命令をさらに含み得る。
【００５１】
[0051]  上述された方法、装置、および非一時的コンピュータ可読媒体のいくつかの例は、更新されるべき個々のポリシーを識別するための、処理、特徴、手段、または命令をさらに含み得、第１のＮＡＳメッセージは、個々のポリシーを示すデータを含み、ここにおいて、ポリシープロビジョニングトリガを識別することは、個々のポリシーを識別することに少なくとも部分的に基づき得る。
【００５２】
[0052]  上述された方法、装置、および非一時的コンピュータ可読媒体のいくつかの例は、ＵＥのロケーションを識別するための、処理、特徴、手段、または命令をさらに含み得、ポリシープロビジョニングトリガを識別することは、ロケーションを識別することに少なくとも部分的に基づき得る。
【００５３】
[0053]  上述された方法、装置、および非一時的コンピュータ可読媒体のいくつかの例は、制御プレーンで通信されることが可能なポリシー情報の第１のサブセットを示す許可メッセージを受信するための、処理、特徴、手段、または命令をさらに含み得、第１のＮＡＳメッセージを送信することは、ポリシー情報の第１のサブセットに少なくとも部分的に基づき得る。
【００５４】
[0054]   上述された方法、装置、および非一時的コンピュータ可読媒体のいくつかの例では、第１のＮＡＳメッセージは、任意の特定のポリシー情報識別子を除いたポリシー情報を求める要求を含む。
【００５５】
[0055]   上述された方法、装置、および非一時的コンピュータ可読媒体のいくつかの例では、第１のＮＡＳメッセージは、登録要求メッセージ、サービス要求メッセージ、ＮＡＳトランスポートメッセージ、またはセッション管理メッセージのうちの１つであり得る。
【図面の簡単な説明】
【００５６】
【図１】[0056]  図１は、本開示の１つまたは複数の態様による、制御プレーンシグナリングを介したポリシー通信をサポートするワイヤレス通信のためのシステムの例を例示する。
【図２】[0057]  図２は、本開示の１つまたは複数の態様による、制御プレーンシグナリングを介したポリシー通信をサポートするワイヤレス通信システムアーキテクチャの例を例示する。
【図３】[0058]  図３は、本開示の１つまたは複数の態様による、制御プレーンシグナリングを介したポリシー通信をサポートするワイヤレス通信システムの例を例示する。
【図４】[0059]  図４は、本開示の１つまたは複数の態様による、制御プレーンシグナリングを介したポリシー通信をサポートする通信方式の例を例示する。
【図５】[0060]  図５は、本開示の１つまたは複数の態様による、制御プレーンシグナリングを介したポリシー通信をサポートする通信方式の例を例示する。
【図６】[0061]  図６は、本開示の１つまたは複数の態様による、制御プレーンシグナリングを介したポリシー通信をサポートするデバイスのブロック図を示す。
【図７】図７は、本開示の１つまたは複数の態様による、制御プレーンシグナリングを介したポリシー通信をサポートするデバイスのブロック図を示す。
【図８】図８は、本開示の１つまたは複数の態様による、制御プレーンシグナリングを介したポリシー通信をサポートするデバイスのブロック図を示す。
【図９】[0062]  図９は、本開示の１つまたは複数の態様による、制御プレーンシグナリングを介したポリシー通信をサポートする、ＵＥを含むシステムのブロック図を例示する。
【図１０】[0063]  図１０は、本開示の１つまたは複数の態様による、制御プレーンシグナリングを介したポリシー通信をサポートするデバイスのブロック図を示す。
【図１１】図１１は、本開示の１つまたは複数の態様による、制御プレーンシグナリングを介したポリシー通信をサポートするデバイスのブロック図を示す。
【図１２】図１２は、本開示の１つまたは複数の態様による、制御プレーンシグナリングを介したポリシー通信をサポートするデバイスのブロック図を示す。
【図１３】[0064]  図１３は、本開示の１つまたは複数の態様による、制御プレーンシグナリングを介したポリシー通信をサポートする、コアネットワークエンティティを含むシステムのブロック図を例示する。
【図１４】[0065]  図１４は、本開示の１つまたは複数の態様による、制御プレーンシグナリングを介したポリシー通信のための方法を例示する。
【図１５】図１５は、本開示の１つまたは複数の態様による、制御プレーンシグナリングを介したポリシー通信のための方法を例示する。
【図１６】図１６は、本開示の１つまたは複数の態様による、制御プレーンシグナリングを介したポリシー通信のための方法を例示する。
【図１７】図１７は、本開示の１つまたは複数の態様による、制御プレーンシグナリングを介したポリシー通信のための方法を例示する。
【図１８】図１８は、本開示の１つまたは複数の態様による、制御プレーンシグナリングを介したポリシー通信のための方法を例示する。
【詳細な説明】
【００５７】
[0066]  ネットワークとＵＥとの間の通信リンクを確立および／または維持するために、ワイヤレス通信システムは、ネットワークエンティティによって実装されるべきプロシージャのセットを定義し得る。通信リンクの品質に関連したこれらのプロシージャのうちのいくつかは、非常に静的であり得、それほど多くの可変の変数を有していない可能性がある。このため、シグナリングにおける効率化は、各ネットワークエンティティ上にこれらのプロシージャのうちのいくつかを記憶することによって実現され得る。この方法では、これらのプロシージャを行うときに、エンティティ間の制御シグナリングが低減され得る。ネットワーク中でエンティティ上のローカルに記憶されたこれらのプロシージャは、複数のポリシーにグループ化され得る。しかしながら、いくつかの例では、いくつかのネットワークエンティティ（例えば、ＵＥ）によって記憶されたポリシーは、ネットワーク状況の変更か、またはポリシー自体の変更のために、更新される必要があり得る。
【００５８】
[0067]  制御プレーンシグナリングを使用して、ＵＥとコアネットワークとの間でポリシー情報およびポリシー情報要求を通信するための技法が本明細書で説明される。いくつかの例では、非アクセス層（ＮＡＳ:non-access stratum）メッセージは、ＵＥからコアネットワークにポリシー情報要求を通信するために使用され得る。同様に、ＮＡＳメッセージは、コアネットワークからＵＥに最新のポリシー情報を通信するために使用され得る。いくつかの例では、コアネットワークは、ＵＥとのポリシー情報の通信を管理するためのいくつかの機能を含み得る。ＵＥがそのホームネットワークから離れてローミングを行ういくつかの例では、コアネットワークは、ＵＥにポリシー情報をわたすために追加のシグナリングに従事し得る。
【００５９】
[0068]  本開示の態様は初めに、ワイヤレス通信システムのコンテキストで説明される。本開示の態様は、通信方式によって例示され、通信方式を参照して説明される。本開示の態様は、制御プレーンシグナリングを介したポリシー通信に関する、装置図、システム図、およびフローチャートによってさらに例示され、それらを参照して説明される。
【００６０】
[0069]  図１は、本開示の様々な態様による、ワイヤレス通信システム１００の例を例示する。ワイヤレス通信システム１００は、基地局１０５、ＵＥ１１５、およびコアネットワーク１３０を含む。いくつかの例では、ワイヤレス通信システム１００は、ロングタームエボリューション（ＬＴＥ）／ＬＴＥ−Ａｄｖａｎｃｅｄ（ＬＴＥ−Ａ）ネットワーク、または新規の無線（ＮＲ：New Radio）ネットワークであり得る。いくつかのケースでは、ワイヤレス通信システム１００は、拡張されたブロードバンド通信、高信頼性（すなわち、ミッションクリティカルな）通信、低レイテンシ通信、および低コスト且つ低複雑度の通信をサポートし得る。ＮＡＳメッセージおよび／または制御プレーンシグナリングを使用して、ＵＥ１１５とコアネットワーク１３０との間でポリシー情報を通信するための技法が本明細書で説明される。
【００６１】
[0070]  基地局１０５は、１つまたは複数の基地局アンテナを介してＵＥ１１５とワイヤレスで通信し得る。各基地局１０５は、それぞれの地理的カバレッジエリア１１０に対して通信カバレッジを提供し得る。ワイヤレス通信システム１００中に示される通信リンク１２５は、ＵＥ１１５から基地局１０５へのアップリンク送信、または基地局１０５からＵＥ１１５へのダウンリンク送信を含み得る。制御情報およびデータは、様々な技法によってアップリンクチャネルまたはダウンリンク上で多重化され得る。制御情報およびデータは、例えば、時分割多重化（ＴＤＭ）技法、周波数分割多重化（ＦＤＭ）技法、またはハイブリッドＴＤＭ−ＦＤＭ技法を使用して、ダウンリンクチャネル上で多重化され得る。いくつかの例では、ダウンリンクチャネルの送信時間間隔（ＴＴＩ）の間に送信される制御情報は、カスケード方式で異なる制御領域間で（例えば、共通制御領域と、１つまたは複数のＵＥ固有制御領域との間で）分散され得る。
【００６２】
[0071]  ＵＥ１１５は、ワイヤレス通信システム１００全体にわたって分散され、各ＵＥ１１５は、固定式または移動式であり得る。ＵＥ１１５はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語でも呼ばれ得る。ＵＥ１１５はまた、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ（ＷＬＬ）局、モノのインターネット（ＩｏＴ）デバイス、全てのインターネット（ＩｏＥ）デバイス、マシンタイプ通信（ＭＴＣ）デバイス、電気器具、自動車、または同様のものであり得る。
【００６３】
[0072]  いくつかのケースでは、ＵＥ１１５はまた、（例えば、ピア・ツー・ピア（Ｐ２Ｐ）またはデバイス・ツー・デバイス（Ｄ２Ｄ）プロトコルを使用して）他のＵＥと直接通信することも可能であり得る。Ｄ２Ｄ通信を利用するＵＥ１１５のグループのうちの１つまたは複数は、セルのカバレッジエリア１１０内にあり得る。このようなグループにおける他のＵＥ１１５は、セルのカバレッジエリア１１０の外部にあり得るか、そうでなければ、基地局１０５からの送信を受信することができない。いくつかのケースでは、Ｄ２Ｄ通信を介して通信するＵＥ１１５の複数のグループは、各ＵＥ１１５がそのグループ中の他のどのＵＥ１１５にも送信する、一対多数（１：Ｍ）システムを利用し得る。いくつかのケースでは、基地局１０５は、Ｄ２Ｄ通信のためのリソースのスケジューリングを容易にする。他のケースでは、Ｄ２Ｄ通信は、基地局１０５とは関係なく実行される。
【００６４】
[0073]  ＭＴＣまたはＩｏＴデバイスなどの、いくつかのＵＥ１１５は、低コストまたは低複雑度のデバイスであり得、マシン間の自動化された通信、すなわち、マシン・ツー・マシン（Ｍ２Ｍ）通信を提供し得る。Ｍ２ＭまたはＭＴＣは、デバイスが人間の介在なしに互いにまたは基地局と通信することを可能にするデータ通信技術を指し得る。例えば、Ｍ２ＭまたはＭＴＣは、情報を測定またはキャプチャするためにセンサまたはメータを統合し、プログラムまたはアプリケーションと接触する人間にその情報を提示するか、またはその情報を利用することができる中央サーバまたはアプリケーションプログラムにその情報を中継するデバイスからの通信を指し得る。いくつかのＵＥ１１５は、情報を収集するか、または機械の自動化された挙動を可能にするように設計され得る。ＭＴＣデバイスのためのアプリケーションの例は、スマートメータリング、在庫モニタリング、水位モニタリング、機器モニタリング、ヘルスケアモニタリング、野生生物モニタリング、天候および地質的イベントモニタリング、フリート管理および追跡、リモートセキュリティ感知、物理アクセス制御、および取引ベースのビジネス課金を含む。
【００６５】
[0074]  いくつかのケースでは、ＭＴＣデバイスは、低減されたピークレートでの半二重（一方向）通信を使用して動作し得る。ＭＴＣデバイスはまた、アクティブな通信に従事していないときに節電「ディープスリープ」モードに入るように構成され得る。いくつかのケースでは、ＭＴＣまたはＩｏＴデバイスは、ミッションクリティカル機能をサポートするように設計され得、ワイヤレス通信システムは、これらの機能のための超高信頼性通信を提供するように構成され得る。
【００６６】
[0075]  複数の基地局１０５は、コアネットワーク１３０と、および互いに、通信し得る。例えば、基地局１０５は、バックホールリンク１３２（例えば、Ｓ１など）を通じてコアネットワーク１３０とインターフェースし得る。基地局１０５は、（例えば、コアネットワーク１３０を通じて）直接または間接的にバックホールリンク１３４（例えば、Ｘ２など）を介して互いに通信し得る。基地局１０５は、ＵＥ１１５との通信のために無線構成およびスケジューリングを行い得るか、または基地局コントローラ（図示せず）の制御下で動作し得る。いくつかの例では、基地局１０５は、マクロセル、スモールセル、ホットスポット、または同様のものであり得る。基地局１０５はまた、発展型ノードＢ（ｅＮＢ）またはｇノードＢ（ｇＮＢ）１０５とも呼ばれ得る。
【００６７】
[0076]  基地局１０５は、Ｓ１インターフェースによって、コアネットワーク１３０に接続され得る。コアネットワークは、発展型パケットコア（ＥＰＣ）であり得、これは、少なくとも１つのモビリティ管理エンティティ（ＭＭＥ）、少なくとも１つのサービングゲートウェイ（Ｓ−ＧＷ）、および少なくとも１つのパケットデータネットワーク（ＰＤＮ）ゲートウェイ（Ｐ−ＧＷ）を含み得る。ＭＭＥは、ＵＥ１１５とＥＰＣの間のシグナリングを処理する制御ノードであり得る。全てのユーザインターネットプロトコル（ＩＰ）パケットは、Ｓ−ＧＷを通じて転送され得、これは、それ自体がＰ−ＧＷに接続され得る。Ｐ−ＧＷは、ＩＰアドレス割り振りならびに他の機能を提供し得る。Ｐ−ＧＷは、ネットワーク事業者ＩＰサービスに接続され得る。事業者ＩＰサービスは、インターネット、イントラネット、ＩＰマルチメディアサブシステム（ＩＭＳ）、およびパケット交換（ＰＳ：Packet-Switched）ストリーミングサービスを含み得る。
【００６８】
[0077]  コアネットワーク１３０は、ユーザ認証、アクセス承認、追跡、インターネットプロトコル（ＩＰ）接続、および他のアクセス、ルーティング、またはモビリティ機能を提供し得る。基地局１０５−ａなどのネットワークデバイスのうちの少なくともいくつかは、アクセスネットワークエンティティ１０５−ｂなどのサブコンポーネントを含み得、これは、アクセスノードコントローラ（ＡＮＣ：access node controller）の例であり得る。各アクセスネットワークエンティティ１０５−ｂは、その各々がスマート無線ヘッドまたは送信／受信ポイント（ＴＲＰ）の例であり得る、いくつかの他のアクセスネットワーク送信エンティティ１０５−ｃを通じて、いくつかのＵＥ１１５と通信し得る。いくつかの構成では、各アクセスネットワークエンティティまたは基地局１０５の様々な機能は、様々なネットワークデバイス（例えば、無線ヘッドおよびアクセスネットワークコントローラ）にわたって分散されるか、または単一のネットワークデバイス（例えば、基地局１０５）に統合され得る。
【００６９】
[0078]  ＵＥ１１５は、ＵＥ通信マネージャ１０１を含み得、これが、制御プレーンを介して、ＮＡＳメッセージを使用してポリシー要求およびポリシー情報を第１のコアネットワークエンティティと通信させ得る。コアネットワーク１３０は、アクセスおよびモビリティ管理機能（ＡＭＦ：access and mobility management function）１２０を含み得る。いくつかの例では、第１のコアネットワークエンティティは、制御プレーンを介して、ＮＡＳメッセージを使用してポリシー要求およびポリシー情報をＵＥ１１５と通信させる。ＡＭＦ１２０は、任意のコアネットワークエンティティによって実装され得る。いくつかの例では、ＡＭＦ１２０の機能は、複数のコアネットワークエンティティによって行われ得る。ＡＭＦ１２０は、コアネットワーク通信マネージャ１０２を含み、これが、ＵＥ１１５との通信に関連したポリシーを調整し得る。いくつかの例では、コアネットワーク通信マネージャ１０２は、ポリシー要求および／またはポリシー情報をポリシー制御機能（ＰＣＦ：policy control function）などの他のコアネットワークエンティティと通信させ得る。
【００７０】
[0079]  いくつかのネットワーク（例えば、ワイヤレスローカルエリアネットワーク（ＷＬＡＮ））が４ＧＨｚと同等の高さの周波数を使用し得るが、ワイヤレス通信システム１００は、７００ＭＨｚ〜２６００ＭＨｚ（２．６ＧＨｚ）の周波数帯域を使用して、極超短波（ＵＨＦ：ultra-high frequency）周波数領域で動作し得る。この領域はまた、波長の長さがおよそ１デシメートル〜１メートルの範囲にあるので、デシメートル帯域としても知られ得る。ＵＨＦ波は、主にＬＯＳ（line of sight）によって伝搬し得、建物および環境特徴によって遮られる場合がある。しかしながら、波は、屋内に位置するＵＥ１１５にサービスを提供するのに十分に壁を通過し得る。ＵＨＦ波の送信は、スペクトルの高周波（ＨＦ：high frequency）または超高周波（ＶＨＦ：very high frequency）部分の、より小さい周波数（およびより長い波）を使用する送信と比較して、より小さいアンテナおよびより短い範囲（例えば、１００ｋｍ未満）を特徴とする。いくつかのケースでは、ワイヤレス通信システム１００はまた、スペクトルの極超高周波（ＥＨＦ：extremely high frequency）部分（例えば、３０ＧＨｚ〜３００ＧＨｚ）を利用し得る。この領域はまた、波長の長さがおよそ１ミリメートル〜１センチメートルの範囲にあるので、ミリ波帯域としても知られ得る。よって、ＥＨＦアンテナは、ＵＨＦアンテナよりもさらに小さく、より狭い間隔で配置され得る。いくつかのケースでは、これは、（例えば、指向性ビームフォーミングのための）ＵＥ１１５内のアンテナアレイの使用を容易にし得る。しかしながら、ＥＨＦ送信は、ＵＨＦ送信よりもさらに大きい大気減衰を受けることがあり、より短いレンジであり得る。
【００７１】
[0080]  よって、ワイヤレス通信システム１００は、ＵＥ１１５と基地局１０５との間のミリ波（ｍｍＷ）通信をサポートし得る。ｍｍＷまたはＥＨＦ帯域中で動作するデバイスは、ビームフォーミングを可能にするために複数のアンテナを有し得る。すなわち、基地局１０５は、ＵＥ１１５との指向性通信のためのビームフォーミング動作を実装するために、複数のアンテナまたはアンテナアレイを使用し得る。ビームフォーミング（空間フィルタリングまたは指向性送信とも呼ばれ得る）は、ターゲット受信機（例えば、ＵＥ１１５）の方向にアンテナビーム全体を形成および／またはステアリングするために、送信機（例えば、基地局１１５）で使用され得る信号処理技法である。これは、送信された信号が、特定の角度で強め合う干渉を経験する一方で、他で弱め合う干渉を経験するように、アンテナアレイでの要素を組み合わせることによって達成され得る。
【００７２】
[0081]  多入力多出力（ＭＩＭＯ）ワイヤレスシステムは、送信機（例えば、基地局１０５）および受信機（例えば、ＵＥ１１５）間での送信方式を使用しており、送信機と受信機との両方が複数のアンテナを備えている。ワイヤレス通信システム１００のいくつかの部分は、ビームフォーミングを使用し得る。例えば、基地局１０５は、そのＵＥ１１５との通信において基地局１０５がビームフォーミングのために使用し得る、アンテナポートのいくつかの行および列を用いたアンテナアレイを有し得る。信号は、異なる方向に複数回送信され得る（例えば、各送信が異なるようにビームフォーミングされ得る）。ｍｍＷ受信機（例えば、ＵＥ１１５）は、同期信号を受信しつつ、複数のビーム（例えば、アンテナサブアレイ）を試行し得る。
【００７３】
[0082]  いくつかのケースでは、基地局１０５またはＵＥ１１５のアンテナは、１つまたは複数のアンテナアレイ内に位置し得、それが、ビームフォーミングまたはＭＩＭＯ動作をサポートし得る。１つまたは複数の基地局アンテナまたはアンテナアレイは、アンテナタワーなどのアンテナアセンブリで収集され得る。いくつかのケースでは、基地局１０５に関連付けられたアンテナまたはアンテナアレイは、様々な地理的位置に位置し得る。基地局１０５は、ＵＥ１１５との指向性通信のためのビームフォーミング動作を実装するために、アンテナまたはアンテナアレイを複数使用し得る。
【００７４】
[0083]  いくつかのケースでは、ワイヤレス通信システム１００は、階層化プロトコルスタックによって動作するパケットベースのネットワークであり得る。ユーザプレーンでは、ベアラまたはパケットデータコンバージェンスプロトコル（ＰＤＣＰ：Packet Data Convergence Protocol）レイヤにおける通信は、ＩＰベースであり得る。無線リンク制御（ＲＬＣ：Radio Link Control）レイヤは、いくつかのケースでは、論理チャネル上で通信するために、パケットのセグメント化および再構成を行い得る。媒体アクセス制御（ＭＡＣ：Medium Access Control）レイヤは、トランスポートチャネルへの論理チャネルの多重化および優先処理を行い得る。ＭＡＣレイヤはまた、リンク効率を改善するために、ＭＡＣレイヤにおいて再送信を提供するハイブリッドＡＲＱ（ＨＡＲＱ）を使用し得る。制御プレーンでは、無線リソース制御（ＲＲＣ：Radio Resource Control）プロトコルレイヤは、ユーザプレーンデータのための無線ベアラをサポートする、ＵＥ１１５とネットワークデバイス１０５−ｃ、ネットワークデバイス１０５−ｂ、またはコアネットワーク１３０との間のＲＲＣ接続の確立、構成、および維持を提供し得る。物理（ＰＨＹ）レイヤにおいて、トランスポートチャネルは、物理チャネルにマッピングされ得る。
【００７５】
[0084]  ＬＴＥまたはＮＲにおける時間間隔は、（ＴＳ＝１／３０，７２０，０００秒のサンプリング期間であり得る）基本時間ユニットの倍数で表現され得る。時間リソースは、１０ｍｓの長さの無線フレーム（Ｔｆ＝３０７２００ＴＳ）にしたがって組織化され得、それは、０から１０２３に及ぶシステムフレーム数（ＳＦＮ：system frame number）で識別され得る。各フレームは、０から９まで番号付けされた１０個の１ｍｓサブフレームを含み得る。１つのサブフレームは、２つの５ｍｓスロットにさらに分割され得、その各々が（各シンボルに付加されたサイクリックプレフィックスの長さに依存して）６または７個の変調シンボル期間を含む。サイクリックプレフィックスを除いて、各シンボルは、２０４８個のサンプル期間を含む。いくつかのケースでは、サブフレームは、ＴＴＩとしても知られる最小スケジューリングユニットであり得る。他のケースでは、ＴＴＩは、サブフレームよりも短いか、または（例えば、短いＴＴＩバースト中で、または短いＴＴＩを使用する選択されたコンポーネントキャリア中で）動的に選択され得る可能性がある。
【００７６】
[0085]  リソース要素は、１つのシンボル期間および１つのサブキャリア（例えば、１５ＫＨｚ周波数範囲）から構成され得る。リソースブロックは、周波数領域中に１２個の連続するサブキャリアを含み得、各直交周波数分割多重化（ＯＦＤＭ）シンボル中の通常のサイクリックプレフィックスに関して、時間領域（１スロット）中に７個の連続するＯＦＤＭシンボル、すなわち８４個のリソース要素を含み得る。各リソース要素によって搬送されるビット数は、変調方式（各シンボル期間中に選択され得るシンボルの構成）に依存し得る。よって、ＵＥが受信するリソースブロックが多いほど、また、変調方式が高度であるほど、データレートは高くなり得る。
【００７７】
[0086]  ワイヤレス通信システム１００は、複数のセルまたはキャリア上での動作、つまりキャリアアグリゲーション（ＣＡ）またはマルチキャリア動作と呼ばれ得る特徴をサポートし得る。キャリアはまた、コンポーネントキャリア（ＣＣ）、レイヤ、チャネルとも呼ばれ得る。「キャリア」、「コンポーネントキャリア」、「セル」、および「チャネル」という用語は、本明細書で交換可能に使用され得る。ＵＥ１１５は、キャリアアグリゲーションのために、複数のダウンリンクＣＣと、１つまたは複数のアップリンクＣＣとで構成され得る。キャリアアグリゲーションは、周波数分割複信（ＦＤＤ）および時分割複信（ＴＤＤ）コンポーネントキャリアの両方を用いて使用され得る。
【００７８】
[0087]  いくつかのケースでは、ワイヤレス通信システム１００は、拡張されたコンポーネントキャリア（ｅＣＣ:enhanced component carriers）を利用し得る。ｅＣＣは、より広い帯域幅、より短いシンボル持続時間、より短いＴＴＩ、および修正された制御チャネル構成を含む１つまたは複数の特徴を特徴とし得る。いくつかのケースでは、ｅＣＣは、（例えば、複数のサービングセルが準最適なまたは理想的でないバックホールリンクを有するとき）キャリアアグリゲーション構成またはデュアルコネクティビティ（dual connectivity）構成に関連付けられ得る。ｅＣＣはまた、（１より多い事業者がスペクトルを使用することを可能にする）アンライセンススペクトルまたは共有スペクトル用に構成され得る。広帯域幅を特徴とするｅＣＣは、（例えば、電力を節約するために）帯域幅全体をモニタすることができないか、または限定された帯域幅を使用することを好むＵＥ１１５によって利用され得る１つまたは複数のセグメントを含み得る。
【００７９】
[0088]  いくつかのケースでは、ｅＣＣは、他のＣＣとは異なるシンボル持続期間を利用し得、それは、他のＣＣのシンボル持続期間と比較して、低減されたシンボル持続期間の使用を含み得る。より短いシンボル持続期間は、増加したサブキャリア間隔に関連付けられ得る。ｅＣＣにおけるＴＴＩは、１つまたは複数のシンボルから構成され得る。いくつかのケースでは、ＴＴＩ持続期間（すなわち、ＴＴＩ中のシンボルの数）は、可変であり得る。いくつかのケースでは、ｅＣＣは、他のＣＣとは異なるシンボル持続期間を利用し得、それは、他のＣＣのシンボル持続期間と比較して、低減されたシンボル持続期間の使用を含み得る。より短いシンボル持続期間は、増加したサブキャリア間隔に関連付けられる。ｅＣＣを利用するＵＥ１１５または基地局１０５などのデバイスは、低減されたシンボル持続期間（例えば、１６．６７マイクロ秒）で広帯域信号（例えば、２０、４０、６０、８０ＭＨｚなど）を送信し得る。ｅＣＣにおけるＴＴＩは、１つまたは複数のシンボルから構成され得る。いくつかのケースでは、ＴＴＩ持続期間（すなわち、ＴＴＩ中のシンボルの数）は、可変であり得る。
【００８０】
[0089]  共有された無線周波数スペクトルバンドは、ＮＲ共有スペクトルシステムで利用され得る。例えば、ＮＲ共有スペクトルは、特に、ライセンススペクトル、共有スペクトル、およびアンライセンススペクトルの任意の組み合わせを利用し得る。ｅＣＣシンボル持続期間とサブキャリア空間の柔軟性は複数のスペクトルにわたるｅＣＣの使用を可能にし得る。いくつかの例では、ＮＲ共有スペクトルは、スペクトル利用率およびスペクトル効率を、特に、リソースの動的な垂直の（例えば、周波数にわたる）および水平の（例えば、時間にわたる）共有を通して増大し得る。
【００８１】
[0090]  いくつかのケースでは、ワイヤレスシステム１００は、ライセンスおよびアンライセンス無線周波数スペクトルバンドの両方を利用し得る。例えば、ワイヤレスシステム１００は、ＬＴＥライセンス補助アクセス（ＬＴＥ−ＬＡＡ：LTE（登録商標） License Assisted Access）、またはＬＴＥアンライセンス（ＬＴＥ Ｕ：LTE Unlicense）無線アクセス技術、または５ＧＨｚの産業用、化学用、および医療用（ＩＳＭ：Industrial, Scientific, and Medical）バンドなどのアンライセンスバンドにおけるＮＲ技術を利用し得る。アンライセンス無線周波数帯域で動作しているとき、基地局１０５およびＵＥ１１５などのワイヤレスデバイスは、データを送信する前にチャネルがクリアであることを保証するためのリッスンビフォアトーク（ＬＢＴ：listen-before-talk）プロシージャを利用し得る。いくつかのケースでは、アンライセンスバンドでの動作は、ライセンスバンドで動作するＣＣとともに、ＣＡ構成に基づき得る。アンライセンススペクトルでの動作は、ダウンリンク送信、アップリンク送信、または両方を含み得る。アンライセンススペクトルでの二重化は、ＦＤＤ、ＴＤＤ、または両方の組み合わせに基づき得る。
【００８２】
[0091]  ワイヤレス通信システム１００（例えば、５Ｇシステム）では、コアネットワーク１３０の機能は、より柔軟なアーキテクチャを可能にするために仮想化され得る。具体的には、コアネットワークは、ソフトウェアで実装されるＡＭＦ、ＰＣＦなどのようないくつかのエンティティ（または機能）を含み得る。加えて、ワイヤレス通信システム（例えば、５Ｇシステム）では、ＵＥ１１５は、アクティブなデータ接続なしで、基地局と接続モードになり得る。したがって、ＵＥは、いくつかの仮想化されたエンティティ（または機能）と通信することができない可能性があり、これは、ワイヤレス通信システムにおいて低減されたスループットをもたらし得る。いくつかの例では、ＵＥ１１５は、アクティブなデータセッション（例えば、プロトコルデータユニット（ＰＤＵ）セッション）なしで、制御プレーンを介して少なくともいくつかのＮＡＳメッセージを通信することが可能であり得る。
【００８３】
[0092]  ワイヤレス通信システム１００は、ＵＥ１１５とコアネットワーク１３０の異なる複数のエンティティ（または機能）との間の効率的な通信のための技法をサポートし得る。具体的には、ＵＥ１１５は、コアネットワーク１３０（例えば、ＡＭＦ１２０）の単一のエンティティ（または機能）と相互作用し得、他のエンティティ（または機能）を対象としたメッセージが、このエンティティによって適切にルーティングされ得る。すなわち、一例として、アップリンク通信に関して、ＵＥは、コアネットワーク１３０の別のエンティティにポリシー情報を要求するＮＡＳメッセージを、ＡＭＦ１２０に送信し得る。ＡＭＦ１２０は、ポリシー要求またはポリシー情報を適切なエンティティ（例えば、ＰＣＦ）に送信（またはルーティング）し得る。同様に、ダウンリンク通信に関して、他のエンティティ（または機能）（例えば、ＰＣＦ）は、ポリシー要求またはポリシー情報をＡＭＦ１２０に送信し得る。ＡＭＦ１２０は、ポリシー要求またはポリシー情報をＵＥ１１５に送信（またはルーティング）し得る。
【００８４】
[0093]  図２は、本開示の様々な態様による、制御プレーンシグナリングを介したポリシー通信をサポートする、ワイヤレス通信システムアーキテクチャ２００の例を例示する。ワイヤレス通信システムアーキテクチャ２００は、ＵＥ１１５−ａ、（Ｒ）ＡＮ１０５−ｄ、およびＡＭＦ１２０−ａを含み得、これらは図１を参照して説明される対応するデバイスの例であり得る。ワイヤレス通信システムアーキテクチャ２００はまた、１つまたは複数の認証サーバ機能（ＡＵＳＦ：authentication server functions）２０５、統合データ管理（ＵＤＭ：unified data management）エンティティ２１０、ＳＭＦ２１５、ユーザプレーン機能（ＵＰＦ：user plane functions）２２０（例えば、データネットワーク（ＤＮ：data network）２３０と通信状態である）、ポリシー制御機能（ＰＣＦ：policy control functions）２３０、および承認機能（ＡＦ：authorization functions）２３５を含み得る。加えて、ワイヤレス通信システムアーキテクチャ２００は、図内に表示されていない他の機能またはエンティティを含んでもよく、あるいは、示される機能またはエンティティのうちの１つまたは複数を含まなくてもよい。様々なインターフェースは、ワイヤレス通信システムアーキテクチャ２００中の異なるエンティティ間で確立され得る。インターフェースは、Ｎの番号で表記され得、通信リンクと呼ばれることもある。このようなインターフェースは、ネットワークエンティティ間の通信リンク、パケット方式、エンティティ間で可能にされたデータ許可、通信リンクの他の特徴、またはそれらの組み合わせを指し得る。
【００８５】
[0094]  ＡＵＳＦ２０５は、ＵＥ１１５−ａのための認証サービスを提供し得る。例えば、ＡＵＳＦ２０５は、通信リンクＮ１２を介するＡＭＦ１２０−ａからの要求に基づいて、ＵＥ１１５−ａの認証を開始し、ＵＥ１１５−ａのためのＮＡＳセキュリティ機能を提供し得る。いくつかのケースでは、認証およびセキュリティ機能は、エンティティ２１０（例えば、ＵＤＭ）に記憶された情報に基づき得る。エンティティ２１０（例えば、ＵＤＭ）は、認証に使用される長期のセキュリティ信頼性を記憶する、認証信頼リポジトリおよび処理機能（ＡＲＰＦ：authentication credential repository and processing function）をサポートし得る。ＡＵＳＦ２０５は、通信リンクＮ１３を介してエンティティ２１０（例えば、ＵＤＭ）から情報を検索し得る。
【００８６】
[0095]  ＳＭＦ２１５は、ＵＥ１１５−ａのためにセッション管理サービスを提供し得る。具体的には、ＳＭＦ２１５は、ＵＥ１１５−ａとＤＮ２３０との間の通信のためのセッション（またはベアラ）を確立、修正、およびリリースし得る。例えば、ＳＭＦ２１５は、ＵＰＦ２２０とアクセスネットワーク（ＡＮ：access network）ノードとの間の通信のためのチャネルを維持し得る。加えて、ＳＭＦ２１５は、ＵＥ１１５−ａのためのＩＰアドレスを割り振りおよび管理し、ユーザプレーン機能を選択および制御し、適切な方向にトラフィックをルーティングするためにＵＰＦ２２０におけるトラフィックステアリングを構成し、ＮＡＳメッセージのＳＭ部分を終了させ、ローミング機能を提供するなどを行い得る。
【００８７】
[0096]  ＵＰＦ２２０は、外部ＰＤＵセッションのためにＤＮ２３０への相互接続のポイントとしてサービスするための機能を含み得る。いくつかのケースでは、ＵＰＦ２２０は、ＲＡＴ内およびＲＡＴ間モビリティのためのアンカポイントであり得る。ＵＰＦ２２０は、ＤＮ２３０におよびＤＮ２３０からパケットをルーティングおよびフォワーディングし、パケットを調査し且つユーザプレーンでのポリシールールを強化し、トラフィックの使用を報告し、ユーザプレーンパケットに関するサービス品質（ＱｏＳ）を処理し、アップリンクトラフィックを検証するなどを行い得る。ＰＣＦ２２５は、ネットワークの挙動を規定するための統一されたポリシー枠組みをサポートし得る。具体的には、ＰＣＦ２２５は、それらを強化するために、ポリシールールを制御プレーン機能に提供し得る。いくつかのケースでは、ＰＣＦ２２５は、エンティティ２１０（例えば、ＵＤＭ）におけるサブスクリプションリポジトリ（subscription repository）からサブスクリプション情報を検索し得る。ＡＦ２３５は、ネットワークにアクセスするために、ＵＥ１１５−ａを承認するためのサービスをサポートし得る。
【００８８】
[0097]  ＰＣＦ２２５は、ワイヤレス通信システムアーキテクチャ２００の様々なＵＥ１１５−ａのためのポリシーを管理し得る。コアネットワーク１３０は、通信リンクの品質を改善し、サービスの品質を改善するために、ワイヤレス通信システムアーキテクチャ２００中のＵＥ１１５−ａにポリシーを通信し得る。ＰＣＦ２２５は、ワイヤレス通信システムアーキテクチャ２００中のいくつかの他の機能（例えば、ＡＭＦ１２０−ａ、ＳＭＦ２１５）と相互作用し得る。
【００８９】
[0098]  ＡＭＦ１２０−ａは、ＰＣＦ２２５−ａからＵＥ１１５−ａにポリシー情報を提供するように構成さ得る。ＰＣＦ２２５−ａは、メモリまたは同様のものに記憶されたこのようなポリシー情報３４５を含み得る。ポリシー情報３４５は、ネットワークインターフェース３５０または通信リンクを介して、ＰＣＦ２２５−ａとＡＭＦ１２０−ａとの間で通信され得る。いくつかの例では、ネットワークインターフェース３５０は、Ｎ１インターフェースであり得る。ポリシー情報３４５は、アクセスネットワーク発見および選択ポリシー、ルート選択ポリシー、ＳＳＣモード選択ポリシー、ネットワークスライス選択ポリシー、ＤＮＮ選択ポリシー、非シームレスオフロードポリシー、他のポリシー、またはそれらの組み合わせを含み得る。アクセスネットワーク発見および選択ポリシーは、非３ＧＰＰ（登録商標）アクセスを選択するために、および選択された３ＧＰＰアクセスと非３ＧＰＰアクセスとの間のトラフィックをどのようにルーティングするかを決定するために、ＵＥ１１５−ａによって使用され得る。ルート選択ポリシーは、出力トラフィックをどのようにルーティングするかを決定するために、ＵＥ１１５−ａによって使用され得る。トラフィックは、確立されたＰＤＵセッションにルーティングされることができるか、ＰＤＵセッション外の非３ＧＰＰアクセスにオフロードされることができるか、または新規のＰＤＵセッションの確立をトリガすることができる。いくつかの例では、ルート選択ポリシーは、ＳＳＣモード選択ポリシー、ネットワークスライス選択ポリシー、ＤＮＮ選択ポリシー、および／または非シームレスオフロードポリシーを含み得る。
【００９０】
[0099]  ＳＳＣモード選択ポリシー（ＳＳＣＭＳＰ：SSC Mode Selection Policy）は、ＵＥアプリケーションをＳＳＣモードにアソシエートするために、およびこのトラフィックがルーティングされるべきＰＤＵセッションを決定するために、ＵＥ１１５−ａによって使用され得る。それはまた、新規のＰＤＵセッションが新規のＳＳＣモードを用いていつ要求されるべきかを決定するためにも使用される。ネットワークスライス選択ポリシー（ＮＳＳＰ：network slice selection policy）は、ＵＥアプリケーションをＳＭ−ＮＳＳＡＩにアソシエートするために、およびこのトラフィックがルーティングされるべきＰＤＵセッションを決定するために、ＵＥ１１５−ａによって使用され得る。それはまた、新規のＰＤＵセッションが新規のＳＳＣ−ＮＳＳＡＩを用いていつ要求されるべきかを決定するためにも使用される。ＤＮＮ選択ポリシーは、ＵＥトラフィックを１つまたは複数のＤＮＮにアソシエートするために、およびこのトラフィックがルーティングされるべきＰＤＵセッションを決定するために、ＵＥ１１５−ａによって使用され得る。それはまた、新規のＤＮＮにＰＤＵセッションがいつ要求されるべきかを決定するためにも使用され得る。それはまた、特定のＤＮＮへのＰＤＵセッションが要求されるべきアクセスタイプ（３ＧＰＰまたは非３ＧＰＰ）も示し得る。非シームレスオフロードポリシーは、どのトラフィックが（例えば、ＰＤＵセッションを除く）非３ＧＰＰアクセスに非シームレスにオフロードされるべきかを決定するためにＵＥ１１５−ａによって使用され得る。
【００９１】
[0100]  いくつかのワイヤレスシステム（例えば、５Ｇワイヤレスシステム）では、ＵＥ１１５−ａは、ＰＤＵセッションを使用してデータパケットを交換するために、ＤＮ２３０にアクセスし得る。ＰＤＵセッションは、ＰＤＵ接続サービスを提供し得、それが、ＵＥ１１５−ａとＤＮ２３０との間の１つまたは複数のＰＤＵの送信をサポートし得る。ＰＤＵセッションにおけるＵＥ１１５−ａとＤＮ２３０との間のアソシエーションは、インターネットプロトコル（ＩＰ）またはイーサネット（登録商標）を使用し得るか、あるいは、アソシエーションが構造化されていない可能性があり得る。いくつかのケースでは、ＤＮ２３０は、ローカルＤＮ、中央ＤＮ、ＰＬＭＮ（Public Land Mobile Networks）などの例であり得る。
【００９２】
[0101]  例示されたように、コアネットワークの異なる機能が、よりフレキシブルなアーキテクチャをサポートするために仮想化され（virtualized）得る。すなわち、上述された異なる機能が、ソフトウェアで実装され得る。このようなケースでは、ＵＥ１１５−ａは、ＲＡＮ１０５−ｄとＵＰＦ２２０との間のＮ３通信リンクを介して、ＤＮ２３０、ＳＭＦ２１５、ＰＣＦ２２５などと通信し得る。Ｎ３通信リンクは、ＵＥ１１５−ａのためのデータ接続とも呼ばれ得る。しかし、いくつかのケースでは、これらのエンティティ（または機能）のうちの任意のものに送信すべき情報をＵＥ１１５−ａが有していないか、または送信すべき限定された情報しかＵＥ１１５−ａが有していないことがあり得、それは、アクティブなデータ接続を維持するのに非効率的であり得る。したがって、いくつかのワイヤレス通信システムは、アクティブなデータ接続なしにＵＥ１１５−ａが接続モードになることを可能にし得る。しかし、アクティブなデータ接続がないと、ＵＥは、限定された量のデータしか送信することができず、これは、ワイヤレス通信システムでの低減されたスループットをもたらし得る。
【００９３】
[0102]  ワイヤレス通信システムアーキテクチャ２００は、アクティブなデータ接続なしに、ＵＥ１１５−ａをコアネットワーク１３０のエンティティ（または機能）と通信することを可能にするための十分な技法をサポートし得る。具体的には、ＵＥ１１５−ａは、他のエンティティ（または機能）を対象としたメッセージをＡＭＦ１２０−ａに送信し得、このようなメッセージは、ＡＭＦ１２０によって適切にルーティングされ得る。例えば、ポリシーメッセージに関して、ＵＥ１１５−ａは、Ｎ１インターフェースを介して、ＮＡＳトランスポートメッセージをＡＭＦ１２０−ａに送信し得る。ＡＭＦ１２０−ａは、Ｎ１５インターフェースを介して、そのメッセージをＰＣＦ２２５に送信（またはルーティング）し得る。いくつかの例では、ＡＭＦ１２０−ａは、送信の前にポリシーメッセージを変更（alter）または修正(modify)し得る。このプロシージャは、逆にされても良い。ＰＣＦ２２５は、ＵＥ１１５−ａを対象とするポリシー情報を、Ｎ１５インターフェースを介してＡＭＦ１２０−ａに送信し得る。ＡＭＦ１２０−ａは、ポリシー情報を、Ｎ１インターフェースを介してＵＥ１１５−ａに送信またはルーティングし得る。ＮＡＳトランスポートメッセージは、メッセージに含まれるペイロードのタイプを示すヘッダおよびルーティングインジケータを含み得、ＡＭＦ１２０−ａは、メッセージを適切にルーティングするためにこの情報を使用し得る。したがって、ＵＥ１１５−ａは、アクティブなデータセッションを維持する必要なく、コアネットワークのエンティティ（または機能）に、およびコアネットワークのエンティティ（または機能）から、情報を送信および受信することが可能であり得る。
【００９４】
[0103]  図３は、本開示の様々な態様による、制御プレーンシグナリングを介したポリシー通信をサポートするワイヤレス通信システム３００の例を例示する。ワイヤレス通信システム３００は、ＵＥ１１５−ｂとコアネットワーク１３０−ａとの間でポリシー情報を通信するために、ＮＡＳメッセージ３３５、３４０を使用し得る。
【００９５】
[0104]  ＵＥ１１５−ｂは、図１および図２を参照して説明されるＵＥの例であり得る。ＵＥ１１５−ｂは、データを記憶するためのメモリ３０５を含み得る。ポリシー情報３１０は、ＵＥ１１５−ｂによってメモリ３０５中に記憶され得る。いくつかの例では、ポリシー情報３１０は、ＵＥ１１５−ｂに関連付けられる。いくつかの例では、ポリシー情報３１０は、ＵＥ１１５−ｂとコアネットワーク１３０−ｂとの間で確立された通信リンクに関連付けられる。ポリシー情報３１０は、図２を参照して説明される任意のポリシーを含み得る。
【００９６】
[0105]  ＵＥ１１５−ｂは、ＮＡＳレイヤ３１５および／または１つまたは複数の下位レイヤ３２０を使用して通信するように構成され得る。下位レイヤ３２０は、無線アクセス技術における任意の数のレイヤを含み得る。例えば、下位レイヤ３２０は、物理レイヤ、媒体アクセスレイヤ、無線リンク制御レイヤ、パケットデータコンバージェンス制御レイヤ、またはこれらの組み合わせを含み得る。ＮＡＳレイヤ３１５は、ＵＥ１１５−ｂがワイヤレスネットワークのカバレッジエリアを通って移動する際に、ＵＥ１１５−ｂとコアネットワーク１３０−ｂとの間の通信セッションの確立を管理するために、およびそれらの連続的な通信リンクを維持するために使用され得る。いくつかの例では、ＵＥ１１５−ｂおよびコアネットワーク１３０−ｂは、エンティティ間でＰＤＵセッションが確立されることなく、ＮＡＳメッセージを交換することが可能であり得る。
【００９７】
[0106]  通信リンクの品質を助長するために、無線アクセス技術は、エンティティ間で通信するための１つまたは複数のポリシーを定義し得る。ポリシーは、ネットワークのエンティティによって使用されるべき共通のプロシージャのセットを定義し得る。ポリシーは、そのプロシージャが、混雑したワイヤレスリンクを頻繁に通って通信される必要がないように、異なるエンティティと共有され得る。しかしながら、いくつかの例では、いくつかのネットワークエンティティ（例えば、ＵＥ１１５−ｂ）によって記憶されたポリシーは、ネットワーク状況の変更か、またはポリシーそれ自体の変更のために、更新される必要があり得る。
【００９８】
[0107]  本明細書でより詳細に説明されるように、ポリシー情報は、制御プレーンシグナリングを使用して、ＵＥ１１５−ｂとコアネットワーク１３０−ｂとの間で交換され得る。いくつかの例では、ＮＡＳメッセージは、ポリシー更新要求をＵＥ１１５−ｂからコアネットワーク１３０−ｂに通信するために、または最新のポリシー情報をコアネットワーク１３０−ｂからＵＥ１１５−ｂに通信するために使用され得る。例えば、ＵＥ１１５−ｂは、制御プレーンシグナリングを使用して、コアネットワーク１３０−ｂにＮＡＳポリシー要求メッセージを送信し得る。コアネットワーク１３０−ｂは、制御プレーンシグナリングを使用して、ＵＥ１１５−ｂにＮＡＳポリシー情報メッセージ３４０を送信し得る。
【００９９】
[0108]  コアネットワーク１３０−ｂは、ＡＭＦ１２０−ｂとＰＣＦ２２５−ａとを含み得る。ＡＭＦ１２０−ｂは、ＮＡＳレイヤ３１５に類似した非アクセス層レイヤ３２５と、下位レイヤ３２０に類似した下位レイヤ３３０とを含み得る。いくつかの例では、ＵＥ１１５−ｂと通信するコアネットワークエンティティは、ＡＭＦ１２０−ｂである。いくつかの例では、メッセージ３３５、３４０は、Ｎ１インターフェースを使用して通信され得る。
【０１００】
[0109]  ＰＣＦ２２５−ａは、コアネットワーク１３０−ｂに関連したポリシーおよびポリシー情報を記憶および管理するように構成された、コアネットワークエンティティであり得る。このため、ＡＭＦ１２０−ｂは、ポリシー情報および／またはポリシー更新要求をＰＣＦ２２５−ａと通信し得る。いくつかの例では、ＡＭＦ１２０−ｂおよびＰＣＦ２２５−ａは、Ｎ１５インターフェースを使用して通信する。
【０１０１】
[0110]  ワイヤレス通信ネットワーク中の通信リンクの品質を確立および維持するために、ＵＥ１１５−ｂおよびコアネットワーク１３０−ｂは、ポリシー情報を交換し得る。例えば、ポリシーメッセージ（例えば、ＮＳＳＡＩ、ＳＳＣＭＰ）情報は、ＮＡＳトランスポートメッセージ中のペイロードとして搬送され得る。ある場合には、ポリシー情報は、初期のＮＡＳメッセージ中で搬送され得る。
【０１０２】
[0111]  登録／モビリティ管理（ＲＭ）メッセージをコアネットワーク１３０−ｂに送るとき、ＵＥ１１５−ｂは、ポリシープロビジョニング（provisioning）を求める要求を含ませ得、要求されたポリシーをコアネットワーク１３０−ｂから受信し得る。ポリシープロビジョニングを求める要求は、登録要求メッセージまたはサービス要求メッセージに含まれ得る。それはＳＭメッセージまたはＮＡＳトランスポートを使用する他のメッセージとピギーバックされることもあり得る。ポリシープロビジョニングメッセージがＮ１インターフェースを介してＡＭＦ１２０−ｂで受信されるとき、ＡＭＦ１２０−ｂは、解読および完全性チェック（deciphering and integrity check）を行い得、メッセージをＰＣＦ２２５−ａにルーティングし得る。
【０１０３】
[0112]  ＰＣＦ２２５−ａからＵＥ１１５−ｂへのメッセージに関して、（ＰＣＦ２２５−ａ中の）ＡＭＰＥＦと呼ばれることもある機能が、Ｎ１５インターフェースを通じてＵＥ１１５−ｂのステータスを問合せし、ＡＭＦ１２０−ｂが、接続（connected）というＵＥステータスを返送した場合に、その機能は、ＵＥ１１５−ｂにメッセージが送られるべきであることを示すメッセージをＡＭＦ１２０−ｂに送り得る。ＡＭＦ１２０−ｂは、汎用ＮＡＳトランスポートペイロード中にメッセージをカプセル化し、それをＵＥ１１５−ｂに送り得る。ＵＥ１１５−ｂがアイドルモードである場合に、ＡＭＦ１２０−ｂは、アイドルモードインジケーションをＰＣＦ２２５−ａに送り得、ＵＥ１１５−ａのためのＡＭＰＥＦメッセージが存在するとのインジケーションを記憶し得る。ＵＥ１１５−ｂが接続モードに切り替わったとき、ＡＭＦ１２０−ｂは、ＵＥの接続のインジケーションを機能に送り得、ＰＣＦ２２５−ａは、ＵＥ１１５−ｂに送られるべきメッセージをＡＭＦ１２０−ｂに送り得る。
【０１０４】
[0113]  いくつかの例では、ＰＣＦ２２５−ａからＵＥ１１５−ｂへのポリシーメッセージは、ポリシープロビジョニング要求メッセージをＵＥ１１５−ｂから受信した結果としてトリガされ得るか、登録プロシージャ中に、ＵＥ１１５−ｂに関連付けられたポリシーへの更新がなされ得る（例えば、ＰＣＦ２２５−ａがＵＥコンテキスト確立要求を受信し得る）か、またはそれらの組み合わせであり得る。
【０１０５】
[0114]  ＵＥ１１５−ｂがホームコアネットワーク１３０−ａに接続されていないローミングのいくつかの例では、訪問された（訪問先）ＰＣＦ（ｖＰＣＦ：visited PCF）は、Ｎ７ｒインターフェースを通じて、任意のポリシープロビジョニング要求をＵＥ１１５−ｂからホームＰＣＦ（ｈＰＣＦ）にフォワーディングし得、ｈＰＣＦから応答を取出して、ＵＥ１１５−ｂにフォワーディングし得る。いくつかの例では、これらの通信は、Ｎ１５ｒインターフェースを使用し得る。ｈＰＣＦはまた、Ｎ７ｒインターフェースまたはＮ１５ｒインターフェースを通じてｖＰＣＦを介して、任意のポリシー変更をＵＥに通信し得る。
【０１０６】
[0115]  他のローミングの例では、ＶＰＬＭＮ中のＡＭＦは、ｈＰＣＦのためのルーティング情報を有し得る。ＡＭＦは、ＵＥ要求をｈＰＣＦに直接ルーティングし得、ｈＰＣＦは、ＶＰＬＭＮ中のＡＭＦを介して直接ＵＥポリシーをダウンロードし得る。
【０１０７】
[0116]  図４は、本開示の様々な態様による、制御プレーンシグナリングを介したポリシー通信をサポートする、通信方式４００の例を例示する。通信方式４００は、非ローミングシナリオにおけるポリシープロビジョニングプロシージャを例示している。通信方式４００は、ＵＥ１１５−ｃ、ＡＭＦ１２０−ｃ、およびＰＣＦ２２５−ｂによって行われる機能と通信とを例示および説明している。ＡＭＦ１２０−ｃおよびＰＣＦ２２５−ｂは、コアネットワーク１３０−ａにおけるエンティティの例であり得る。これらのエンティティは、図１〜図３を参照して説明される他のエンティティの例であり得る。
【０１０８】
[0117]  ブロック４０５において、ＵＥ１１５−ｃは、ポリシープロビジョニングトリガを識別し得る。ポリシープロビジョニングトリガは、ＵＥ１１５−ｃが新規のまたは更新されたポリシー情報を必要とすることを引き起こす任意のイベントを含み得る。いくつかの例では、ポリシープロビジョニングトリガは、通信リンクの確立における、ネットワーク状況の変更、ＵＥ１１５−ｃのロケーションの変更、根本的な（underlying）ポリシー自体の変更、またはそれらの組み合わせであり得る。
【０１０９】
[0118]  いくつかのケースでは、ＵＥ１１５−ｃがワイヤレスネットワークのカバレッジエリア全体を移動する際、ある特定のポリシーが更新される必要があり得る。ＵＥ１１５−ｃは、そのロケーションに関連付けられたロケーションデータを決定し、そのロケーションデータを（ＡＭＦ１２０−ｃで表されるような）コアネットワーク１３０−ａに送信し得る。
【０１１０】
[0119]  いくつかのケースでは、ポリシープロビジョニングトリガは、ネットワーク状況の変更に基づき得る。例えば、ＵＥ１１５−ｃは、異なるセル、通信リンク、基地局、または無線ヘッドにハンドオーバされ得る。通信リンクのそのような変更は、ある特定のポリシーが更新される必要があり得ることを意味し得る。ネットワーク状況の他の変更は、無線アクセス技術（ＲＡＴ）間ハンドオフ、ＲＡＴ内ハンドオフ、無線リンク失敗（ＲＬＦ：radio link failure）、弱い（poor）通信リンク品質、またはそれらの組み合わせを含み得る。
【０１１１】
[0120]  いくつかのケースでは、ポリシープロビジョニングトリガは、通信リンクを確立することに基づき得る。通信リンクを確立する前に、ＵＥ１１５−ｃは、ワイヤレスネットワークのその特定の部分のためのポリシーの全てを記憶していない可能性が高い。このため、（例えば、無線ヘッドを通した、または基地局を通した）ワイヤレスネットワークへの接続の一部として、ＵＥ１１５−ｃは、ＵＥ１１５−ｃに関連付けられたポリシーおよびワイヤレスネットワークのその部分を要求し得る。
【０１１２】
[0121]  いくつかの例では、ポリシープロビジョニングトリガは、根本的ポリシーの変更に基づき得る。ＵＥ１１５−ｃは通常、ポリシーを維持しないため、ＵＥ１１５−ｃは、いくつかの例では、コアネットワーク１３０から受信した通信に基づいて、このトリガを識別し得る。
【０１１３】
[0122]  いくつかの例では、ＵＥ１１５−ｃは、更新されるべき特定のポリシーを識別し得る。このため、ＵＥ１１５−ｃがポリシー更新要求を送るとき、ＵＥ１１５−ｃは、更新されるべき特定のポリシーを識別する情報を含み得る。
【０１１４】
[0123]  いくつかの例では、メッセージ４１５は、更新されたポリシー情報をＵＥ１１５−ｃが受信する必要があるとのインジケーションを含み得る。いくつかの例では、メッセージ４１５は、更新または検索（取出）されるべき１つまたは複数の特定のポリシー、ポリシータイプ、または他のポリシー情報のインジケーションを含み得る。
【０１１５】
[0124]  ブロック４１０において、ＵＥ１１５−ｃは、制御プレーンシグナリングを介して、通信ポリシーに関連した許可をチェックし得る。全てのポリシーが、ＮＡＳメッセージを使用して制御プレーンと通信されることが、可能にされ得るわけではない。このため、いくつかの例では、ＵＥ１１５−ｃは、どのポリシーがＮＡＳメッセージングを使用して更新され得るかを決定するために、許可リストまたは他のデータ構造を調査し得る。いくつかの例では、この動作は、ネットワークエンティティによって行われ得る。いくつかの例では、ＵＥ１１５−ｃは、どのポリシーが制御プレーンシグナリングを介して通信され得るかをＵＥ１１５−ｃに知らせるメッセージをコアネットワーク１３０から受信し得る。
【０１１６】
[0125]  いくつかの例では、コアネットワーク１３０は、ＲＭプロシージャ中に、ＵＥ１１５−ｃが実施することを許可された、ポリシー検索のタイプのインジケーションをＵＥ１１５−ｃに搬送するためのメカニズムを含み得る。例えば、インジケーションは、制御プレーンソルーション（control plane solution）を使用して、ＵＥがどのタイプのポリシーを要求することができるかを示し得る。インジケーションはまた、ユーザプレーンソルーションを使用して、ＵＥ１１５−ｃがどのようにポリシーを検索するかを示し得る。インジケーションは、ポリシーを検索するためのＰＣＦアドレスを決定するために、情報をＵＥ１１５−ｃに提供し得る。ある場合には、ＰＣＦアドレスは、ポリシーを検索するために使用されるべきＤＮＮと、ＰＣＦをアドレッシングする（addressing）ための論理名（例えば、ＵＥがＤＮＳを使用してＩＰアドレスに変換し得るユニフォームリソースロケータ（ＵＲＬ））とのうちの１つまたは複数を搬送することを含む、ＵＥ１１５−ｃがｖＰＣＦに接触するためのローミングシナリオを必要とする。
【０１１７】
[0126]  ＵＥ１１５−ｃは、ＮＡＳメッセージおよび制御プレーンシグナリングを介して、ポリシー情報要求メッセージ４１５を送信し得る。ポリシー情報要求メッセージ４１５は、トリガイベントが発生したと識別することに基づいて、生成および送信され得る。いくつかの例では、ポリシー情報要求メッセージ４１５は、更新されるべきポリシーが制御プレーンシグナリング許可リストまたは他のデータ構造上にあるとＵＥ１１５−ｃが決定することに基づいて、生成および送信され得る。
【０１１８】
[0127]  ポリシー情報要求メッセージ４１５は、ＵＥ１１５−ｃを識別する情報および／または更新されるべき特定のポリシーを識別する情報を含み得る。いくつかのケースでは、ポリシー情報要求メッセージ４１５は、特定のポリシーの任意の識別子を含まない。むしろ、これらのケースでは、ポリシー情報要求メッセージ４１５は、単に新規のポリシー情報を要求し得る。このため、ポリシー情報要求メッセージ４１５は、任意のポリシー識別子を除外し得る。ポリシー情報要求メッセージ４１５は、ＵＥ識別子、ポリシー識別子、ネットワーク状況が変更されたとのインジケーション、変更されたネットワーク状況についての情報、ＵＥ１１５−ｃのロケーションが変更されたとのインジケーション、変更されたロケーションについての情報、他の情報、またはこれらの組み合わせを含み得る。
【０１１９】
[0128]  ＵＥ１１５−ｃは、ポリシー情報要求メッセージ４１５をコアネットワークのＡＭＦ１２０−ｃに送信し得る。いくつかの例では、ポリシー情報要求メッセージ４１５は、Ｎ１インターフェースを使用して通信され得る。ポリシー情報要求メッセージ４１５は、いくつかの例では、ＮＡＳメッセージであり得る。ある場合（例えば、ポリシー要求がスタンドアロン要求である場合）には、ポリシー更新要求は、ＮＡＳトランスポートメッセージを介して送信され得る。ポリシー情報要求メッセージ４１５はまた、登録要求またはサービス要求メッセージの一部として送られ得る。ポリシー情報要求メッセージ４１５は、さらなる情報を有していない要求を含み得るか、または、ＵＥ１１５−ｃが要求している特定のポリシーまたはポリシータイプを包含し得る。ＵＥ１１５−ｃは、どのポリシーがＮＡＳを介して要求されることができるかを知るために、（ＵＳＩＭを介して／ＮＡＳシグナリングまたは他の手段を介して）前もって構成され得る。
【０１２０】
[0129]  ＡＭＦ１２０−ｃは、ポリシー情報要求メッセージ４１５を受信し、いくつかの処理を行い、ポリシー情報要求メッセージ４２５を適切なネットワークエンティティ（例えば、ＰＣＦ２２５−ｂ）に送信し得る。ＡＭＦ１２０−ｃによって行われる処理の例は、解読および完全性チェックを行うことを含み得る。いくつかの例では、ＡＭＦ１２０−ｃは、タイムスタンプ、ＵＥ識別子、または他のデータなどの、メッセージ４２５を生成することの一部として、他のデータをメッセージ４１５に付加し得る。いくつかの例では、ポリシー情報要求メッセージ４２５は、Ｎ１５インターフェースを介して通信され得る。いくつかの例では、メッセージ４２５は、メッセージ４１５と同じである。いくつかの例では、メッセージ４２５は、メッセージ４１５とは異なる。メッセージ４２５がネットワークエンティティ間にあるため、メッセージ４２５は、いくつかの例では、ＮＡＳメッセージではない可能性がある。
【０１２１】
[0130]  ある場合には、ブロック４２０において、ＡＭＦ１２０−ｃは、特定のポリシーを要求または受信することをＵＥ１１５−ｃが可能にされるかどうかを決定し得る。いくつかの例では、ＡＭＦ１２０−ｃは、ＵＥ１１５−ｃがＮＡＳメッセージを使用して特定のポリシーを通信することを可能にされるかどうかを決定し得る。このため、ＡＭＦ１２０−ｃは、許可の２つのレベルを決定し得る。第１に、ＵＥ１１５−ｃが実際に特定のポリシー情報に資格があるかどうかである。第２に、ポリシー情報が、制御プレーン（ＮＡＳメッセージング）またはユーザプレーンを介して、どのように通信を許可されるかである。いくつかのポリシー情報は、ＮＡＳメッセージおよび制御プレーンシグナリングを使用して通信されることを許可されない可能性がある。この決定は、コアネットワーク１３０によって維持された許可リストに基づき得る。いくつかの例では、ブロック４２０の機能は、異なるコアネットワークエンティティ（例えば、ＰＣＦ２２５−ｂ）によって行われ得る。
【０１２２】
[0131]  いくつかの例では、ポリシープロビジョニングプロシージャは、ＵＥ１１５−ｃではなくコアネットワーク１３０によって開始され得る。このような例では、ブロック４０５、４１０、４１５、４２５の機能は、ポリシープロビジョニングプロシージャの一部として行われ得ない。このため、ポリシープロビジョニングプロシージャを開始されたコアネットワークにおいて、このようなブロックはオプションであり得る。いくつかの例では、任意のコアネットワークエンティティ（例えば、ＡＭＦ１２０−ｃ、ＰＣＦ２２５−ｂ）は、ポリシープロビジョニングプロシージャを開始し得る。機能の多くがＰＣＦ２２５−ｂによって行われるものとして説明されるが、それら機能はまた、ＡＭＦ１２０−ｃまたは別のコアネットワークエンティティによって行われ得る。本明細書で説明される機能のうちのいくつかを行う別のコアネットワークエンティティに起因するシグナリングの変更は、本開示の範囲内にある。
【０１２３】
[0132]  ブロック４３０において、コアネットワークエンティティ、およびいくつかの例では、ＰＣＦ２２５−ｂは、ポリシープロビジョニングトリガを識別し得る。ポリシープロビジョニングトリガは、ブロック４０５を参照して説明されるポリシープロビジョニングトリガに類似し得る。コアネットワークのためのトリガは、通信リンクの確立において、ＵＥ１１５−ｃからのポリシー情報要求メッセージ４１５、４２５、ネットワーク状況の変更、ＵＥ１１５−ｃのロケーションの変更、根本的ポリシー自体の変更を受信すること、またはそれらの組み合わせを含み得る。
【０１２４】
[0133]  いくつかのケースでは、トリガイベントは、要求メッセージ４１５、４２５をＵＥ１１５−ｃから受信することであり得る。ＰＣＦ２２５−ｂまたは他のコアネットワークエンティティは、要求メッセージ４１５、４２５に含まれる情報を決定し得る。しばしば、トリガイベントは、ロケーションデータまたはネットワークデータの変更などの、メッセージ４１５、４２５に含まれる情報に基づき得る。
【０１２５】
[0134]  いくつかのケースでは、トリガイベントは、ポリシー変更に基づき得る。いくつかの例では、コアネットワーク１３０は、様々な理由でポリシーのうちの１つを変更し得る。ＰＣＦ２２５−ｂは、ポリシーの変更を検出すると、ポリシープロビジョニングトリガが発生したことを識別し得る。いくつかの例では、ブロック４３０の機能は、異なるコアネットワークエンティティ（例えば、ＡＭＦ１２０−ｃ）によって行われ得る。
【０１２６】
[0135]  いくつかの例では、ＰＣＦ２２５−ｂにおけるネットワークポリシープロビジョニングは、ＵＥ１１５−ｃが登録／モビリティ管理（例えば、ＮＡＳ）メッセージをネットワークに送ることによってトリガされ得、ＵＥ１１５−ｃは、ポリシープロビジョニングを求める要求を含ませ、要求されたポリシーをネットワークから受信し得る。いくつかの例では、ＰＣＦ２２５−ｂは、ネットワークによって開始されるポリシー搬送（network initiated policy delivery）をトリガするために、ＵＥ１１５−ｃの登録（例えば、ＡＭＦ１２０−ｃからのＵＥコンテキスト確立要求）が成功した際に、トリガするためのメカニズムを含む。
【０１２７】
[0136]  ブロック４３５において、ＰＣＦ２２５−ｂは、どのポリシーまたはポリシー情報をＵＥ１１５−ｃに提供するかを識別し得る。ＰＣＦ２２５−ｂの決定は、メッセージ４１５、４２５のコンテキスト、ローカル構成、ＵＥ１１５−ｃのロケーション、ネットワーク構成の変更、ＰＣＦ２２５−ｂに利用可能な他の情報、またはこれらの組み合わせに基づき得る。いくつかの例では、ＰＣＦ２２５−ｂは、ＮＡＳメッセージンングを介してどのポリシー情報が送られることができないか、を決定し得、そのポリシー情報を含めない。いくつかの例では、ＰＣＦ２２５−ｂは、どのポリシーまたはポリシー情報がコアネットワーク１３０によって更新されるかに基づいて、どのポリシー情報をＵＥ１１５−ｃに提供すべきかを決定し得る。いくつかの例では、ブロック４３０の機能は、異なるコアネットワークエンティティ（例えば、ＡＭＦ１２０−ｃ）によって行われ得る。
【０１２８】
[0137]  ＰＣＦ２２５−ｂは、ＵＥ１１５−ｃに提供するために、識別されたポリシー情報に基づいてポリシー情報メッセージ４４５を生成し得る。ポリシー情報メッセージ４４５は、ポリシー情報、要求されたポリシー情報、ＵＥ識別子、または他のデータを含み得る。ポリシー情報メッセージ４４５は、Ｎ１５インターフェースを使用して通信され得る。
【０１２９】
[0138]  ブロック４４０において、ＰＣＦ２２５−ｂは、オプションで、ＵＥ１１５−ｃのステータスを決定し得る。ＰＣＦ２２５−ｂは、ＵＥ１１５−ｃのステータスに関してＡＭＦ１２０−ｃに問い合わせ得る。いくつかの例では、その問合せは、Ｎ１５インターフェースを通じたものであり得る。ＰＣＦ２２５−ｂは、ＵＥ１１５−ｃの状態に応じて、異なる情報を用いてポリシー情報をＡＭＦ１２０−ｃに送信し得る。ＵＥ１１５−ｃが接続状態にあることをＡＭＦ１２０−ｃが返送する場合、ＰＣＦ２２５−ｂは、ポリシー情報メッセージ４４５がＵＥ１１５−ｃに送られるべきであることを示すポリシー情報メッセージ４４５をＡＭＦ１２０−ｃに送信し得る。ＡＭＦ１２０−ｃは、通常のＮＡＳトランスポートペイロードにポリシー情報メッセージ４４５をカプセル化し得、ポリシー情報メッセージ４５０をＵＥ１１５−ｃに送る。ＵＥ１１５−ｃがアイドルモードにある場合、ＡＭＦ１２０−ｃは、アイドルモードインジケーションをＰＣＦ２２５−ｂに送り、ＵＥ１１５−ｃに送信されるのを待っているポリシー情報メッセージ４４５が存在するとのインジケーションを記憶し得る。ＵＥ１１５−ｃが接続モードに切り替えられたことをＡＭＦ１２０−ｃが識別した後、ＡＭＦ１２０−ｃは、ＵＥ接続インジケーションをＰＣＦ２２５−ｂに送り得る。ＰＣＦ２２５−ｂは、ＵＥ接続インジケーションを受信することに基づいて、ポリシー情報メッセージ４４５をＡＭＦ１２０−ｃに送り得る。
【０１３０】
[0139]  いくつかの例では、ＡＭＦ１２０−ｃは、ブロック４４０において説明された問合せを行い得る。いくつかの例では、ＰＣＦ２２５−ｂは、ＵＥ１１５−ｃがアイドルモードにあるとき、ポリシー情報メッセージ４４５をＡＭＦ１２０−ｃに送り得る。このような例では、ＡＭＦ１２０−ｃは、ＵＥ１１５−ｃが接続モードに入るまで、ポリシー情報メッセージ４４５を記憶し得る。いくつかの例では、ポリシー情報４４５は、Ｎ１５インターフェースを使用して通信される。
【０１３１】
[0140]  ＡＭＦ１２０−ｃは、ポリシー情報メッセージ４４５を受信し、ポリシー情報メッセージ４４５を処理し、ポリシー情報メッセージ４５０をＵＥ１１５−ｃに送信し得る。ポリシー情報メッセージ４５０は、ＮＡＳメッセージの一例であり得る。ＡＭＦ１２０−ｃによって行われる処理の例は、解読および完全性チェックを行うことを含み得る。いくつかの例では、ＡＭＦ１２０−ｃは、タイムスタンプ、ポリシー識別子、コアネットワークエンティティ識別子、または他のデータなどの、メッセージ４５０を生成する一部として、他のデータをメッセージ４４５に付加し得る。いくつかの例では、ポリシー情報メッセージ４５０は、Ｎ１インターフェースを介して通信され得る。いくつかの例では、メッセージ４５０は、メッセージ４４５と同じである。いくつかの例では、メッセージ４５０は、メッセージ４４５とは異なる。
【０１３２】
[0141]  ポリシー情報メッセージ４５０は、いくつかの例では、ＮＡＳメッセージであり得る。ある場合には、ポリシー情報メッセージ４５０は、ＮＡＳトランスポートメッセージを介して送信され得る。ポリシー情報メッセージ４５０はまた、登録要求またはサービス要求メッセージの一部として送られ得る。ポリシー情報メッセージ４５０は、登録要求メッセージ、サービス要求メッセージ、ＮＡＳトランスポートメッセージ、またはセッション管理メッセージであり得る。
【０１３３】
[0142]  いくつかの例では、（ＵＥによって開始されようと、ネットワークによって開始されようと）ＵＥ１１５−ｃは、ＲＭプロシージャが成功裏に完了すると、ＲＭ応答メッセージに含まれたポリシー情報メッセージ４５０を受信し得る。いくつかの例では、これは、ポリシーのプッシュ（push）を行うために、ＰＣＦ２２５−ｂがＵＥ１１５−ｃに送るのと同じメッセージである。いくつかの例では、このメッセージは、登録アクセプト（registration accept）において、ＮＡＳトランスポートとして、それを使用して搬送される。ＡＭＦ１２０−ｃは、いくつかの例では、ポリシープッシュを開始するために、ＰＣＦ２２５−ｂをトリガし得る。
【０１３４】
[0143]  ブロック４５５において、ＵＥ１１５−ｃは、受信したポリシー情報メッセージ４５０に基づいてそのポリシー情報３１０を更新し得る。更新は、ポリシー情報３１０を、ポリシー情報メッセージ４５０に含まれるポリシー情報を用いて上書きすることを含み得る。いくつかの例では、ＵＥ１１５−ｃは、ポリシー情報３１０と、ポリシー情報メッセージ４５０で発見されたポリシー情報との間の差分を決定し、その差分のみを更新し得る。
【０１３５】
[0144]  ポリシー情報メッセージ４５０を受信することに応答して、ＵＥ１１５−ｃは、オプションで、確認応答メッセージ４６０をコアネットワーク１３０に送信し得る。確認応答メッセージは、ポリシー情報メッセージ４５０の受信を確認するように構成され得る。いくつかの例では、確認応答メッセージ４６０は、制御プレーンシグナリングを使用して通信されるＮＡＳメッセージである。いくつかの例では、確認応答メッセージ４６０は、Ｎ１インターフェースを使用して通信され得る。ＡＭＦ１２０−ｃは、オプションで、確認応答メッセージ４６０を受信したことに基づいて、確認応答メッセージ４６５をＰＣＦ２２５−ｂに（Ｎ１５インターフェースを介して）送信し得る。
【０１３６】
[0145]  いくつかの例では、ＵＥ１１５−ｃは、それがホームネットワークではなくビジタ（visitor）ネットワークに接続されるように、ローミングし得る。いくつかの例では、ＵＥ１１５−ｃは、Ｎ１インターフェースを使用してビジタＡＭＦ（ｖＡＭＦ）と通信し得る。ｖＡＭＦは、ビジタコアネットワークに関連付けられたＡＭＦである。ｖＡＭＦは、ホームＰＣＦ（すなわち、ｈＰＣＦ）と直接通信するように構成され得る。ｈＰＣＦは、上述されたＰＣＦ２２５−ｂの例であり得、ＵＥのホームコアネットワーク１３０に関連付けられ得る。直接通信するために、メッセージ４２５、４４５、および／または４６５は、Ｎ１５インターフェースではなく、新規のネットワークインターフェースを用いて通信され得る。いくつかの例では、新規のネットワークインターフェースは、ＵＥ１１５−ｃとポリシー要求および／またはポリシー情報を通信するためだけに使用され得る。
【０１３７】
[0146]  図５は、本開示の様々な態様による、制御プレーンシグナリングを介したポリシー通信をサポートする、通信方式５００の例を例示する。通信方式５００は、ローミングシナリオにおけるポリシープロビジョニングプロシージャを例示している。ＵＥ１１５−ｄは、それがそのホームネットワークではなく、ビジタネットワークに接続されるときに、ローミングする。通信方式５００は、ＵＥ１１５−ｄ、ｖＡＭＦ１２０−ｄ、ｖＰＣＦ２２５−ｃ、およびｈＰＣＦ２２５−ｄによって行われる機能および通信を例示および説明している。ＡＭＦ１２０−ｄ、ｖＰＣＦ２２５−ｃ、およびｈＰＣＦ２２５−ｄは、コアネットワーク１３０中のエンティティの例であり得る。これらのエンティティは、図１〜図３を参照して説明される他のエンティティの例であり得る。ｖＡＭＦ１２０−ｄおよびｖＰＣＦ２２５−ｃは、ＵＥ１１５−ｄのビジタコアネットワークのコアネットワークエンティティの例であり得る。ｈＰＣＦ２２５−ｄは、ＵＥ１１５−ｄのホームビジタコアネットワークのコアネットワークエンティティの一例であり得る。
【０１３８】
[0147]  通信方式５００は、図４を参照して説明される通信方式４００の機能のうちのいくつかを組み込み得る。したがって、通信方式５００の全ての機能が、ここで全て繰り返されるわけではない。
【０１３９】
[0148]  ＵＥ１１５−ｄは、ポリシー情報要求メッセージ５１０をビジタコアネットワークのｖＡＭＦ１２０−ｄに送信し得る。ポリシー情報要求メッセージ５１０は、ポリシー情報要求メッセージ４１５の例であり得る。ポリシー情報要求メッセージ５１０を送信する前に、ＵＥ１１５−ｄは、ブロック４０５、４１０の機能を行い得る。ある場合には、ポリシープロビジョニングプロシージャは、ＵＥ１１５−ｄではなく、コアネットワーク（ビジタまたはホーム）によって開始され得る。このような例では、メッセージ５１０はオプションであり得る。ポリシー情報要求メッセージ５１０は、制御プレーンシグナリングを介して送信されるＮＡＳメッセージの一例であり得る。
【０１４０】
[0149]  ブロック５１５において、ｖＡＭＦ１２０−ｄは、ＵＥ１１５−ｄがローミングしているかどうかを決定し得る。ＵＥ１１５−ｄがローミングしている場合、ビジタコアネットワークは、その動作または機能のうちのいくつかを変更し得るか、あるいはホームコアネットワークおよびビジタコアネットワークのポリシーを明らかにし（account for）得る。ｖＡＭＦ１２０−ｄは、様々な方法を通じてローミングを決定し得る。いくつかの例では、ブロック５１５の機能は、ＵＥ１１５−ｄ、ｖＰＣＦ２２５−ｃ、または何らかの他のビジタコアネットワークエンティティによって行われ得る。ＵＥ１１５−ｄがブロック５１５の機能を行う場合、メッセージ５１０は、ＵＥ１１５−ｄのホームコアネットワークについての情報、またはＵＥ１１５−ｄがローミングしているとのインジケーションを含み得る。
【０１４１】
[0150]  ｖＡＭＦ１２０−ｄは、ポリシー情報要求メッセージ５２０をｖＰＣＦ２２５−ｃに通信し得る。ポリシー情報要求メッセージ５２０は、図４を参照して説明されるメッセージ４２５の例であり得る。ポリシー情報要求メッセージ５２０は、メッセージ５１０のコンテンツを含み得る。いくつかの例では、メッセージ５２０は、ＵＥ１１５−ｄのホームコアネットワークについての情報、またはＵＥ１１５−ｄがローミングしているとのインジケーションを含み得る。メッセージ５２０を送信することは、図４を参照して説明されるブロック４２０の機能を行うことを含み得る。
【０１４２】
[0151]  ブロック５２５において、ｖＰＣＦ２２５−ｃは、ＵＥ１１５−ｄに提供するためにポリシー情報を識別し得る。ブロック５２５は、図４を参照して説明されるブロック４３５の例であり得る。いくつかの例では、ブロック５２５は、図４を参照して説明されるブロック４３０および４４０の機能を行うことを含み得る。
【０１４３】
[0152]  ブロック５３０において、ｖＰＣＦ２２５−ｃは、ＵＥ１１５−ｄのホームコアネットワークからポリシー情報が必要とされるかどうかを決定し得る。ホームネットワークからのポリシーが不要な場合、通信方式５００は、ポリシー情報メッセージ５５５を生成および送信することへとジャンプし得る。そうでない場合、通信方式５００は、ポリシー情報要求メッセージ５３５を送信するよう進み得る。
【０１４４】
[0153]  ｖＰＣＦ２２５−ｃは、ブロック５３０の決定に基づいて、ポリシー情報要求メッセージ５３５を生成および送信し得る。ポリシー情報要求メッセージ５３５は、ポリシー情報要求メッセージ５２０、４２５の例であり得る。いくつかの例では、メッセージ５３５は、ｈＰＣＦ２２５−ｄから必要とされるポリシーのポリシー識別子などの追加の情報を含み得る。ｖＰＣＦ２２５−ｃは、どのポリシー情報がホームネットワークから必要とされるかを識別し、その情報をメッセージ５３５に含め得る。いくつかの例では、メッセージ５３５は、Ｎ１５ｒインターフェースを介して通信され得る。
【０１４５】
[0154]  ブロック５４０において、ｈＰＣＦ２２５−ｄは、メッセージ５３５を受信し、ＵＥ１１５−ｄに提供するためのポリシー情報を識別し得る。いくつかの例では、識別されたポリシー情報は、メッセージ５３５のコンテンツに基づき得る。ブロック５２５は、図４を参照して説明されるブロック４３５の例であり得る。いくつかの例では、ブロック５２５は、図４を参照して説明されるブロック４３０および４４０の機能を行うことを含み得る。
【０１４６】
[0155]  ｈＰＣＦ２２５−ｄは、識別されたポリシー情報を含むポリシー情報メッセージ５４５を生成および送信し得る。ポリシー情報メッセージ５４５は、メッセージ４４５の例であり得る。いくつかの例では、メッセージ５３５は、Ｎ１５ｒインターフェースを介して通信され得る。
【０１４７】
[0156]  ブロック５５０において、メッセージ５４５を受信すると、ｖＰＣＦ２２５−ｃは、ビジタネットワークポリシー情報とホームネットワークポリシー情報とを組み合わせ（combine）得る。いくつかの例では、この組み合わせは、競合解消プロシージャに少なくとも部分的に基づき得る。いくつかのケースでは、競合解消プロシージャは、プロシージャのうちの任意のものを修正せずに、ポリシー情報の全てをともに組み合わせて追加することを含み得る。いくつかのケースでは、競合解消プロシージャは、ホームネットワークのポリシー情報を送ることのみを含み得る。いくつかのケースでは、競合解消プロシージャは、ビジタネットワークのポリシー情報を送ることのみを含み得る。いくつかのケースでは、競合解消プロシージャは、ビジタネットワークのポリシー情報に基づいて、ホームネットワークのポリシー情報のいくつかを却下し得る。例えば、ｖＰＣＦ２２５−ｃは、ｈＰＣＦ２２５−ｄから受信したポリシー情報を、ビジタネットワークのポリシー情報と、または何らかの他のデータと比較し得る。ｖＰＣＦ２２５−ｃは、ビジタネットワークのうちの１つまたは複数のポリシーと競合する任意のポリシー情報をホームネットワークから削除し得る。
【０１４８】
[0157]  ｖＰＣＦ２２５−ｄは、ｖＰＣＦ２２５−ｄによって生成された、組み合わせられたポリシー情報に基づいて、ポリシー情報メッセージ５５５を生成および送信し得る。ポリシー情報メッセージ５５５は、図４を参照して説明されるメッセージ４４５の例であり得る。ポリシー情報メッセージ５５５は、Ｎ１５インターフェースを使用して接続され得る。
【０１４９】
[0158]  メッセージ５５５を受信すると、ｖＡＭＦ１２０−ｄは、ｖＰＣＦ２２５−ｄによって生成された、組み合わせられたポリシー情報と、メッセージ５５５とに基づいて、ポリシー情報メッセージ５６０を生成および送信し得る。ポリシー情報メッセージ５６０は、図４を参照して説明されるメッセージ４５０の例であり得る。ポリシー情報メッセージ５６０は、ＮＡＳメッセージの一例であり得る。ポリシー情報メッセージ５６０は、Ｎ１インターフェースを使用して通信され得る。
【０１５０】
[0159]  ブロック５６５において、メッセージ５６０を受信すると、ＵＥ１１５−ｄは、ポリシー情報メッセージ５６０に含まれたポリシー情報のソースを識別し得る。メッセージ５６０が複数のソースからのポリシー情報を含む場合、ＵＥ１１５−ｄは、情報間の競合を解消し（resolve）得る。メッセージ５６０が１つのソースからのみのポリシー情報を含む場合、ＵＥ１１５−ｄは、ブロック５７０の機能を行うことをスキップし得る。いくつかの例では、コアネットワークは、ブロック５５０において、メッセージ５６０中のポリシー情報をキュレートする（curates）。他の例では、コアネットワークは、競合しているか否かに関わらず、単に、いくつかのまたは全てのポリシー情報をＵＥ１１５−ｄにわたす。これらメッセージ５５５、５６０は、メッセージ５５５、５６０に含まれるポリシー情報のソースを示す情報を含み得る。
【０１５１】
[0160]  ブロック５７０において、ＵＥ１１５−ｄは、メッセージ５６０に含まれるポリシー情報間の競合を解消し得る。いくつかのケースでは、ＵＥ１１５−ｄは、あるソースからの情報を、別のソースからの情報よりも優先し得る。例えば、ＵＥ１１５−ｄは、ｈＰＣＦ２２５−ｄからのポリシー情報を、ｖＰＣＦ２２５−ｃからのポリシー情報よりも優先し得る。別の例では、ＵＥ１１５−ｄは、ｖＰＣＦ２２５−ｃからのポリシー情報を、ｈＰＣＦ２２５−ｄからのポリシー情報よりも優先し得る。他の例では、ＵＥ１１５−ｄは、ポリシーのタイプとポリシー情報のソースとの両方に基づいて、ポリシー情報を優先付けし得る。ポリシー情報における競合が発生した場合、ＵＥ１１５−ｄは、そのポリシー情報３１０をその優先度に基づいて更新し得る。
【０１５２】
[0161]  ポリシー情報メッセージ５６０を受信することに応答して、ＵＥ１１５−ｄは、オプションで、確認応答メッセージ５８０をコアネットワークに送信し得る。確認応答メッセージ５８０は、ポリシー情報メッセージ５６０の受信を確認するように構成され得る。いくつかの例では、確認応答メッセージ５８０は、制御プレーンシグナリングを使用して通信されたＮＡＳメッセージである。いくつかの例では、確認応答メッセージ５８０は、Ｎ１インターフェースを使用して通信され得る。ｖＡＭＦ１２０−ｄは、オプションで、確認応答メッセージ５８５を受信することに基づいて、確認応答メッセージ５８５をｖＰＣＦ２２５−ｃに（Ｎ１５インターフェースを介して）送信し得る。ｖＰＣＦ２２５−ｃは、オプションで、確認応答メッセージ５８５を受信したことに基づいて、確認応答メッセージ５９０をｈＰＣＦ２２５−ｄに（Ｎ１５ｒインターフェースを介して）送信し得る。確認応答メッセージ５８０、５８５、５９０は、図４を参照して説明される確認応答メッセージ４６０、４６５の例であり得る。
【０１５３】
[0162]  図６は、本開示の態様にしたがった、制御プレーンシグナリングを介したポリシー通信をサポートする、ワイヤレスデバイス６０５のブロック図６００を示す。ワイヤレスデバイス６０５は、本明細書で説明されるようなＵＥ１１５の態様の例であり得る。ワイヤレスデバイス６０５は、受信機６１０、ＵＥ通信マネージャ６１５、および送信機６２０を含み得る。ワイヤレスデバイス６０５はまた、プロセッサを含み得る。これらのコンポーネントの各々は、（例えば、１つまたは複数のバスを介して）互いに通信状態であり得る。
【０１５４】
[0163]  受信機６１０は、様々な情報チャネル（例えば、制御プレーンシグナリングを介したポリシー通信に関連付けられた制御チャネル、データチャネル、およびデータチャネルなど）に関連付けられたパケット、ユーザデータ、または制御情報などの情報を受信し得る。情報は、デバイスの他のコンポーネントにわたされ得る。受信機６１０は、図９を参照して説明されるトランシーバ９３５の態様の例であり得る。受信機６１０は、単一のアンテナまたはアンテナのセットを利用し得る。受信機６１０は、ＵＥによって、ＵＥに関連付けられたポリシー情報を含む第１のＮＡＳメッセージを、制御プレーンを介して受信し得る。
【０１５５】
[0164]  ＵＥ通信マネージャ６１５は、図９を参照して説明される通信マネージャ９１５の態様の例であり得る。ＵＥ通信マネージャ６１５および／またはその様々なサブコンポーネントのうちの少なくともいくつかは、ハードウェア、プロセッサによって実行されるソフトウェア、ファームウェア、またはこれらの任意の組合せで実装され得る。プロセッサによって実行されるソフトウェアで実装される場合、ＵＥ通信マネージャ６１５および／またはその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは本開示で説明される機能を行うように設計されたこれらの任意の組合せによって実行され得る。ＵＥ通信マネージャ６１５および／またはその様々なサブコンポーネントのうちの少なくともいくつかは、様々な位置に物理的に位置し得、機能の部分が、１つまたは複数の物理的デバイスによって異なる物理的なロケーションで実装されるように分散されていることを含む。いくつかの例では、ＵＥ通信マネージャ６１５および／またはその様々なサブコンポーネントのうちの少なくともいくつかは、本開示の様々な態様による、別個のおよび異なるコンポーネントであり得る。他の例では、ＵＥ通信マネージャ６１５および／またはその様々なサブコンポーネントのうちの少なくともいくつかは、限定はされないが、本開示の様々な態様による、Ｉ／Ｏコンポーネント、トランシーバ、ネットワークサーバ、別の計算デバイス、本開示で説明される１つまたは複数の他のコンポーネント、またはこれらの組合せを含む、１つまたは複数の他のハードウェアコンポーネントと組み合わせられ得る。
【０１５６】
[0165]  ＵＥ通信マネージャ６１５は、第１のＮＡＳメッセージを受信することに基づいてポリシー情報を識別し、受信したポリシー情報に基づいて、ＵＥによって記憶されたポリシー情報を更新し得る。
【０１５７】
[0166]  送信機６２０は、デバイスの他のコンポーネントによって生成された信号を送信し得る。いくつかの例では、送信機６２０は、トランシーバモジュールにおいて受信機６１０とコロケートされ得る。例えば、送信機６２０は、図９を参照して説明されるトランシーバ９３５の態様の例であり得る。送信機６２０は、単一のアンテナを利用し得るか、またはアンテナのセットを利用し得る。
【０１５８】
[0167]  送信機６２０は、コアネットワークにポリシー情報を要求する第２のＮＡＳメッセージを、制御プレーンを介して送信し得、ここで、第１のＮＡＳメッセージを受信することは、第２のＮＡＳメッセージを送信することに基づく。いくつかのケースでは、第２のＮＡＳメッセージは、任意の特定のポリシー情報識別子を除いたポリシー情報を求める要求を含む。いくつかのケースでは、第２のＮＡＳメッセージは、登録要求メッセージ、サービス要求メッセージ、ＮＡＳトランスポートメッセージ、またはセッション管理メッセージのうちの１つである。いくつかのケースでは、第１のＮＡＳメッセージは、ＵＥがポリシー要求メッセージを送信することなく生成される。
【０１５９】
[0168]  図７は、本開示の態様にしたがった、制御プレーンシグナリングを介したポリシー通信をサポートする、ワイヤレスデバイス７０５のブロック図７００を示す。ワイヤレスデバイス７０５は、図６を参照して説明されるワイヤレスデバイス６０５またはＵＥ１１５の態様の例であり得る。ワイヤレスデバイス７０５は、受信機７１０、ＵＥ通信マネージャ７１５、および送信機７２０を含み得る。ワイヤレスデバイス７０５はまた、プロセッサを含み得る。これらのコンポーネントの各々は、（例えば、１つまたは複数のバスを介して）互いに通信状態であり得る。
【０１６０】
[0169]  受信機７１０は、パケット、ユーザデータ、または様々な情報チャネルに関連付けられた制御情報などの情報（例えば、制御チャネル、データチャネル、および制御プレーンシグナリングを介したポリシー通信に関連付けられた情報、など）を受信し得る。情報は、デバイスの他のコンポーネントにわたされ得る。受信機１０は、図９を参照して説明されるトランシーバ９３５の態様の一例であり得る。受信機７１０は、単一のアンテナを利用し得るか、またはアンテナのセットを利用し得る。
【０１６１】
[0170]  ＵＥ通信マネージャ７１５は、図９を参照して説明されるＵＥ通信マネージャ９１５の態様の例であり得る。ＵＥ通信マネージャ７１５はまた、ポリシーマネージャ７２５を含み得る。
【０１６２】
[0171]  ポリシーマネージャ７２５は、第１のＮＡＳメッセージを受信することに基づいてポリシー情報を識別し、受信したポリシー情報に基づいて、ＵＥによって記憶されたポリシー情報を更新し、更新されるべき個々のポリシーを識別し、第２のＮＡＳメッセージは、当該個々のポリシーを示すデータを含み、ここで、ポリシープロビジョニングトリガ（policy provisioning trigger）を識別することは、当該個々のポリシーを識別することに基づく。
【０１６３】
[0172]  送信機７２０は、デバイスの他のコンポーネントによって生成された信号を送信し得る。いくつかの例では、送信機７２０は、トランシーバモジュールにおいて受信機７１０とコロケートされ得る。例えば、送信機７２０は、図９を参照して説明されるトランシーバ９３５の態様の例であり得る。送信機７２０は、単一のアンテナを利用し得るか、またはアンテナのセットを利用し得る。
【０１６４】
[0173]  図８は、本開示の態様にしたがった、制御プレーンシグナリングを介したポリシー通信をサポートする、ＵＥ通信マネージャ８１５のブロック図８００を示す。ＵＥ通信マネージャ８１５は、図６、図７、および図９を参照して説明されるＵＥ通信マネージャ６１５、ＵＥ通信マネージャ７１５、またはＵＥ通信マネージャ９１５の態様の例であり得る。ＵＥ通信マネージャ８１５は、ポリシーマネージャ８２０、優先度マネージャ８２５、確認応答マネージャ８３０、トリガマネージャ８３５、ロケーションマネージャ８４０、および許可マネージャ８４５を含み得る。これらのモジュールの各々は、互いに（例えば、１つまたは複数のバスを介して）直接または間接的に通信し得る。
【０１６５】
[0174]  ポリシーマネージャ８２０は、第１のＮＡＳメッセージを受信することに基づいてポリシー情報を識別し、受信したポリシー情報に基づいて、ＵＥによって記憶されたポリシー情報を更新し、更新されるべき個々のポリシーを識別し、第２のＮＡＳメッセージは、当該個々のポリシーを示すデータを含み、ここで、ポリシープロビジョニングトリガを識別することは、当該個々のポリシーを識別することに基づく。
【０１６６】
[0175]  優先度マネージャ８２５は、受信したポリシー情報をどのコアネットワークエンティティが生成したかに基づいて、受信したポリシー情報を優先順位付けし、ここで、ポリシー情報を更新することは、優先順位付けすることに基づいており、訪問先コアネットワークから受信したポリシー情報の第１のサブセットを、ＵＥのホームコアネットワークから受信したポリシー情報の第２のサブセットよりも優先させ、ここで、ポリシー情報を更新することは、優先順位付けに少なくとも部分的に基づく。
【０１６７】
[0176]  確認応答マネージャ８３０は、第１のＮＡＳメッセージを受信することに基づいて、制御プレーンを介して確認応答ＮＡＳメッセージを送信し得る。
【０１６８】
[0177]  トリガマネージャ８３５は、ＵＥがＵＥに関連付けられたポリシー情報をコアネットワークから受信すべきであることを示すポリシープロビジョニングトリガを識別し得る。
【０１６９】
[0178]  ロケーションマネージャ８４０は、ＵＥのロケーションを識別し、ここで、ポリシープロビジョニングトリガを識別することは、ロケーションを識別することに基づく。
【０１７０】
[0179]  許可マネージャ８４５は、制御プレーンを介して通信されることが可能なポリシー情報の第１のサブセットを示す許可メッセージを受信し、ここで、第２のＮＡＳメッセージを送信することは、ポリシー情報の第１のサブセットに基づく。
【０１７１】
[0180]  図９は、本開示の１つまたは複数の態様による、制御プレーンシグナリングを介したポリシー通信をサポートする、デバイス９０５を含むシステム９００の図を示す。デバイス９０５は、ワイヤレスデバイス６０５、ワイヤレスデバイス７０５、または例えば、上記の図１、図６および図７で説明されるようなＵＥ１１５のコンポーネントを含むか、またはその例であり得る。デバイス９０５は、ＵＥ通信マネージャ９１５、プロセッサ９２０、メモリ９２５、ソフトウェア９３０、トランシーバ９３５、アンテナ９４０、およびＩ／Ｏコントローラ９４５を含む、通信を送信および受信するためのコンポーネントを含む双方向音声およびデータ通信のためのコンポーネントを含み得る。これらのコンポーネントは、１つまたは複数のバス（例えば、バス９１０）を介して電子通信状態にあり得る。デバイス９０５は、１つまたは複数の基地局１０５とワイヤレスに通信し得る。
【０１７２】
[0181]  プロセッサ９２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブル論理デバイス、ディスクリートゲートまたはトランジスタ論理コンポーネント、ディスクリートハードウェアコンポーネント、またはこれらの任意の組合せ）を含み得る。いくつかのケースでは、プロセッサ９２０は、メモリコントローラを使用してメモリアレイを動作させるように構成され得る。他のケースでは、メモリコントローラは、プロセッサ９２０に一体化され得る。プロセッサ９２０は、様々な機能（例えば、制御プレーンシグナリングを介したポリシー通信をサポートする機能またはタスク）を行うために、メモリに記憶されたコンピュータ可読命令を実行するように構成され得る。
【０１７３】
[0182]  メモリ９２５は、ランダムアクセスメモリ（ＲＡＭ）および読取専用メモリ（ＲＯＭ）を含み得る。メモリ９２５は、実行されると、本明細書に説明された様々な機能をプロセッサに実装させる命令を含む、コンピュータ読み取り可能なコンピュータ実行可能ソフトウェア９３０を記憶し得る。いくつかのケースでは、メモリ９２５は、特に、周辺コンポーネントまたはデバイスとの相互作用などの基本ハードウェアおよび／またはソフトウェア動作を制御し得る、基本入出力システム（ＢＩＯＳ）を含み得る。
【０１７４】
[0183]  ソフトウェア９３０は、制御プレーンシグナリングを介したポリシー通信をサポートするためのコードを含む、本開示の態様を実装するためのコードを含み得る。ソフトウェア９３０は、システムメモリまたは他のメモリなどの、非一時的コンピュータ可読媒体に記憶され得る。いくつかのケースでは、ソフトウェア９３０は、プロセッサによって直接実行可能ではないことがあり得るが、（例えば、コンパイルおよび実行されたときに）コンピュータに、本明細書で説明される機能を行わせ得る。
【０１７５】
[0184]  トランシーバ９３５は、上述されたような１つまたは複数のアンテナ、ワイヤードまたはワイヤレスリンクを介して双方向に通信し得る。例えば、トランシーバ９３５は、ワイヤレストランシーバを表し得、別のワイヤレストランシーバと双方向に通信し得る。トランシーバ９３５はまた、パケットを変調し、変調されたパケットを送信のためにアンテナに提供し、アンテナから受信されたパケットを復調するためのモデムを含み得る。
【０１７６】
[0185]  いくつかのケースでは、ワイヤレスデバイスは、単一のアンテナ９４０を含み得る。しかしながら、いくつかのケースでは、デバイスは、１より多いアンテナ９４０を有し得、それは、複数のワイヤレス送信を同時に送信または受信することが可能であり得る。
【０１７７】
[0186]  Ｉ／Ｏコントローラ９４５は、デバイス９０５のための入力および出力信号を管理し得る。Ｉ／Ｏコントローラ９４５はまた、デバイス９０５に一体化されていない周辺機器を管理し得る。いくつかのケースでは、Ｉ／Ｏコントローラ９４５は、外部周辺機器への物理的接続またはポートを表し得る。いくつかのケースでは、Ｉ／Ｏコントローラ９４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなどのオペレーティングシステムを利用し得る。他のケースでは、Ｉ／Ｏコントローラ９４５は、モデム、キーボード、マウス、タッチスクリーン、または類似するデバイスを表すか、またはそれらと相互作用し得る。いくつかのケースでは、Ｉ／Ｏコントローラ９４５は、プロセッサの一部として実装され得る。いくつかのケースでは、ユーザは、Ｉ／Ｏコントローラ９４５を介して、またはＩ／Ｏコントローラ９４５によって制御されたハードウェアコンポーネントを介して、デバイス９０５と相互作用し得る。
【０１７８】
[0187]  図１０は、本開示の１つまたは複数の態様による、制御プレーンシグナリングを介したポリシー通信をサポートする、ワイヤレスデバイス１００５のブロック図１０００を示す。ワイヤレスデバイス１００５は、図１を参照して説明したようなコアネットワークエンティティ１２０または２２５の態様の例であり得る。ワイヤレスデバイス１００５は、受信機１０１０、コアネットワークエンティティ通信マネージャ１０１５、および送信機１０２０を含み得る。ワイヤレスデバイス１００５はまた、プロセッサを含み得る。これらのコンポーネントの各々は、（例えば、１つまたは複数のバスを介して）互いに通信状態であり得る。
【０１７９】
[0188]  受信機１０１０は、パケット、ユーザデータ、または様々な情報チャネルに関連付けられ制御情報などの情報（例えば、制御チャネル、データチャネル、および制御プレーンシグナリングを介したポリシー通信に関連付けられた情報、など）を受信し得る。情報は、デバイスの他のコンポーネントにわたされ得る。受信機１０１０は、図１３を参照して説明されるトランシーバ１３３５の態様の一例であり得る。受信機１０１０は、単一のアンテナを利用し得るか、またはアンテナのセットを利用し得る。
【０１８０】
[0189]  受信機１０１０は、制御プレーンシグナリングを介してＵＥから第２のメッセージを受信し、第２のメッセージは、コアネットワークにポリシー情報を要求し、ここで、ポリシープロビジョニングトリガを識別することは、第２のメッセージを受信することに基づく。
【０１８１】
[0190]  コアネットワークエンティティ通信マネージャ１０１５は、図１３を参照して説明されるコアネットワークエンティティ通信マネージャ１３１５の態様の例であり得る。コアネットワークエンティティ通信マネージャ１０１５および／またはその様々なサブコンポーネントのうちの少なくともいくつかは、ハードウェア、プロセッサによって実行されるソフトウェア、ファームウェア、またはこれらの任意の組合せで実装され得る。プロセッサによって実行されるソフトウェアで実装される場合、コアネットワークエンティティ通信マネージャ１０１５および／またはその様々なサブコンポーネントのうちの少なくともいくつかの機能は、汎用プロセッサ、ＤＳＰ、ＡＳＩＣ、ＦＰＧＡまたは他のプログラマブル論理デバイス、ディスクリートゲートまたはトランジスタ論理、ディスクリートハードウェアコンポーネント、あるいは本開示で説明される機能を実行するように設計されたこれらの任意の組合せによって実行され得る。コアネットワークエンティティ通信マネージャ１０１５および／またはその様々なサブコンポーネントのうちの少なくともいくつかは、様々な位置に物理的に位置し得、機能の部分が、１つまたは複数の物理的デバイスによって異なる物理的なロケーションで実装されるように分散されていることを含む。いくつかの例では、コアネットワークエンティティ通信マネージャ１０１５および／またはその様々なサブコンポーネントのうちの少なくともいくつかは、本開示の様々な態様による、別個のおよび異なるコンポーネントであり得る。他の例では、コアネットワークエンティティ通信マネージャ１０１５および／またはその様々なサブコンポーネントのうちの少なくともいくつか、限定はされないが、本開示の様々な態様による、Ｉ／Ｏコンポーネント、トランシーバ、ネットワークサーバ、別の計算デバイス、本開示で説明される１つまたは複数の他のコンポーネント、またはこれらの組合せを含む、１つまたは複数の他のハードウェアコンポーネントと組み合わせられ得る。
【０１８２】
[0191]  コアネットワークエンティティ通信マネージャ１０１５は、ＵＥがそのＵＥに関連付けられたポリシー情報をコアネットワークから受信することを示す、ポリシープロビジョニングトリガを識別し、ポリシープロビジョニングトリガに基づいてポリシー情報を識別する。
【０１８３】
[0192]  送信機１０２０は、デバイスの他のコンポーネントによって生成された信号を送信し得る。いくつかの例では、送信機１０２０は、トランシーバモジュールにおいて受信機１０１０とコロケートされ得る。例えば、送信機１０２０は、図１３を参照して説明されるトランシーバ１３３５の態様の例であり得る。送信機１０２０は、単一のアンテナを利用し得るか、またはアンテナのセットを利用し得る。
【０１８４】
[0193]  送信機１０２０は、制御プレーンシグナリングを介してＵＥに第１のメッセージを送信し得、第１のメッセージは、識別されたポリシー情報を含む。いくつかのケースでは、第１の制御メッセージは、ＮＡＳメッセージである。
【０１８５】
[0194]  図１１は、本開示の１つまたは複数の態様による、制御プレーンシグナリングを介したポリシー通信をサポートする、ワイヤレスデバイス１１０５のブロック図１１００を示す。ワイヤレスデバイス１１０５は、図１および図１０を参照して説明されるような、ワイヤレスデバイス１００５、あるいはコアネットワークエンティティ１２０または２２５の態様の例であり得る。ワイヤレスデバイス１１０５は、受信機１１１０、コアネットワークエンティティ通信マネージャ１１１５、および送信機１１２０を含み得る。ワイヤレスデバイス１１０５はまた、プロセッサを含み得る。これらのコンポーネントの各々は、（例えば、１つまたは複数のバスを介して）互いに通信状態であり得る。
【０１８６】
[0195]  受信機１１１０は、パケット、ユーザデータ、または様々な情報チャネルに関連付けられた制御情報などの情報（例えば、制御チャネル、データチャネル、および制御プレーンシグナリングを介したポリシー通信に関連付けられた情報、など）を受信し得る。情報は、デバイスの他のコンポーネントにわたされ得る。受信機１１１０は、図１３を参照して説明されるトランシーバ１３３５の態様の一例であり得る。受信機１１１０は、単一のアンテナを利用し得るか、またはアンテナのセットを利用し得る。
【０１８７】
[0196]  コアネットワークエンティティ通信マネージャ１１１５は、図１３を参照して説明される、コアネットワークエンティティ通信マネージャ１３１５の態様の例であり得る。コアネットワークエンティティ通信マネージャ１１１５はまた、トリガマネージャ１１２５およびポリシーマネージャ１１３０を含み得る。
【０１８８】
[0197]  トリガマネージャ１１２５は、ＵＥがそのＵＥに関連付けられたポリシー情報をコアネットワークから受信することを示す、ポリシープロビジョニングトリガを識別し得る。
【０１８９】
[0198]  ポリシーマネージャ１１３０は、ポリシープロビジョニングトリガに基づいてポリシー情報を識別し、ポリシーの変更を識別し、ここで、ポリシープロビジョニングトリガを識別することは、ポリシーの変更に基づいており、ＵＥのロケーションの変更を識別し、ここで、ポリシープロビジョニングトリガを識別することは、ロケーションの変更に基づいており、ＵＥが制御プレーンを介して受信することを許可されるのがどのポリシー情報であるかを識別し、ここで、第１のメッセージを送信することは、識別することに基づき得る。
【０１９０】
[0199]  送信機１１２０は、デバイスの他のコンポーネントによって生成された信号を送信し得る。いくつかの例では、送信機１１２０は、トランシーバモジュールにおいて受信機１１１０とコロケートされ得る。例えば、送信機１１２０は、図１３を参照して説明されるトランシーバ１３３５の態様の例であり得る。送信機１１２０は、単一のアンテナを利用し得るか、またはアンテナのセットを利用し得る。
【０１９１】
[0200]  図１２は、本開示の１つまたは複数の態様による、制御プレーンシグナリングを介したポリシー通信をサポートする、コアネットワークエンティティ通信マネージャ１２１５のブロック図１２００を示す。コアネットワークエンティティ通信マネージャ１２１５は、図１０、図１１、および図１３を参照して説明されるコアネットワークエンティティ通信マネージャ１３１５の態様の例であり得る。コアネットワークエンティティ通信マネージャ１２１５は、トリガマネージャ１２２０、ポリシーマネージャ１２２５、ローミングマネージャ１２３０、確認応答マネージャ１２３５、およびリンクマネージャ１２４０を含み得る。これらのモジュールの各々は、互いと（例えば、１つまたは複数のバスを介して）直接または間接的に通信し得る。
【０１９２】
[0201]  トリガマネージャ１２２０は、ＵＥがそのＵＥに関連付けられたポリシー情報をコアネットワークから受信することを示す、ポリシープロビジョニングトリガを識別し得る。
【０１９３】
[0202]  ポリシーマネージャ１２２５は、ポリシープロビジョニングトリガに基づいてポリシー情報を識別し、ポリシーの変更を識別し、ここで、ポリシープロビジョニングトリガを識別することは、ポリシーの変更に基づいており、ＵＥのロケーションの変更を識別し、ここで、ポリシープロビジョニングトリガを識別することは、ロケーションの変更に基づいており、ＵＥが制御プレーンを介して受信することを許可されるのがどのポリシー情報であるかを識別し、ここで、第１のメッセージを送信することは、識別することに基づき得る。
【０１９４】
[0203]  ローミングマネージャ１２３０は、ホームコアネットワークではなく訪問先コアネットワークにＵＥが接続されるようにＵＥがローミングすると識別し、訪問先コアネットワークエンティティによって、ホームポリシー管理エンティティに直接ポリシー情報を要求し、第１の訪問先コアネットワークエンティティによって、ＵＥに関連付けられた訪問先ポリシー管理エンティティにポリシー情報を要求し、訪問先ポリシー管理エンティティによって、ＵＥに関連付けられたホームポリシー管理エンティティにポリシー情報を要求し、競合解消プロシージャ（conflict resolution procedure）に基づいて、ホームポリシー管理エンティティからのポリシー情報と訪問先ポリシー管理エンティティからのポリシー情報とを組み合わせ（combine）、ここで、第１のメッセージは、組み合わせられたポリシー情報を含み、訪問先ポリシー管理エンティティによって、ＵＥに関連付けられたホームポリシー管理エンティティにポリシー情報を要求するかどうかどうかを決定し得る。
【０１９５】
[0204]  確認応答マネージャ１２３５は、第１のメッセージを送信することに基づいて、制御プレーンシグナリングを介してＵＥから確認応答メッセージを受信し得る。
【０１９６】
[0205]  リンクマネージャ１２４０は、ＵＥが接続モードにあるか、またはアイドルモードにあるかを決定し、ここで、第１のメッセージを送信することは、決定することに基づく。
【０１９７】
[0206]  図１３は、本開示の１つまたは複数の態様による、制御プレーンシグナリングを介したポリシー通信をサポートする、デバイス１３０５を含むシステム１３００の図を示す。デバイス１３０５は、例えば、図１を参照して上述されるような、コアネットワークエンティティ１２０または２２５のコンポーネントの例であるか、またはそれらを含み得る。デバイス１３０５は、コアネットワークエンティティ通信マネージャ１３１５、プロセッサ１３２０、メモリ１３２５、ソフトウェア１３３０、トランシーバ１３３５、およびＩ／Ｏコントローラ１３４０を含む、通信を送信および受信するためのコンポーネントを含む双方向音声およびデータ通信のためのコンポーネントを含み得る。これらのコンポーネントは、１つまたは複数のバス（例えば、バス１３１０）を介して電子通信状態にあり得る。
【０１９８】
[0207]  プロセッサ１３２０は、インテリジェントハードウェアデバイス（例えば、汎用プロセッサ、ＤＳＰ、ＣＰＵ、マイクロコントローラ、ＡＳＩＣ、ＦＰＧＡ、プログラマブル論理デバイス、ディスクリートゲートまたはトランジスタ論理コンポーネント、ディスクリートハードウェアコンポーネント、またはこれらの任意の組合せ）を含み得る。いくつかのケースでは、プロセッサ１３２０は、メモリコントローラを使用してメモリアレイを動作させるように構成され得る。他のケースでは、メモリコントローラは、プロセッサ１３２０に一体化され得る。プロセッサ１３２０は、様々な機能（例えば、制御プレーンシグナリングを介したポリシー通信をサポートする機能またはタスク）を行うために、メモリに記憶されたコンピュータ可読命令を実行するように構成され得る。
【０１９９】
[0208]  メモリ１３２５は、ＲＡＭおよびＲＯＭを含み得る。メモリ１３２５は、実行されると、本明細書に説明された様々な機能をプロセッサに実装させる命令を含む、コンピュータ読み取り可能なコンピュータ実行可能ソフトウェア１３３０を記憶し得る。いくつかのケースでは、メモリ１３２５は、特に、周辺コンポーネントまたはデバイスとの相互作用のような基本ハードウェアおよび／またはソフトウェア動作を制御し得るＢＩＯＳを含み得る。
【０２００】
[0209]  ソフトウェア１３３０は、制御プレーンシグナリングを介したポリシー通信をサポートするためのコードを含む、本開示の態様を実装するためのコードを含み得る。ソフトウェア１３３０は、システムメモリまたは他のメモリなどの、非一時的コンピュータ可読媒体に記憶され得る。いくつかのケースでは、ソフトウェア１３３０は、プロセッサによって直接実行可能ではないことがあり得るが、（例えば、コンパイルおよび実行されたときに）コンピュータに、本明細書で説明される機能を行わせ得る。
【０２０１】
[0210]  トランシーバ１３３５は、上述されたような１つまたは複数のアンテナ、ワイヤードまたはワイヤレスリンクを介して双方向に通信し得る。例えば、トランシーバ１３３５は、ワイヤレストランシーバを表し得、別のワイヤレストランシーバと双方向に通信し得る。トランシーバ１３３５はまた、パケットを変調し、変調されたパケットを送信のためにアンテナに提供し、アンテナから受信されたパケットを復調するためのモデムを含み得る。
【０２０２】
[0211]  Ｉ／Ｏコントローラ１３４０は、デバイス１３０５のための入力および出力信号を管理し得る。Ｉ／Ｏコントローラ１３４０はまた、デバイス１３０５に一体化されていない周辺機器を管理し得る。いくつかのケースでは、Ｉ／Ｏコントローラ１３４０は、外部周辺機器への物理的接続またはポートを表し得る。いくつかのケースでは、Ｉ／Ｏコントローラ１３４０は、Ｉ／Ｏコントローラ９４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなどのオペレーティングシステムを利用し得る。他のケースでは、Ｉ／Ｏコントローラ１３４０は、モデム、キーボード、マウス、タッチスクリーン、または類似するデバイスを表すか、またはそれらと相互作用し得る。いくつかのケースでは、Ｉ／Ｏコントローラ１３４０は、プロセッサの一部として実装され得る。いくつかのケースでは、ユーザは、Ｉ／Ｏコントローラ１３４０を介して、またはＩ／Ｏコントローラ１３４０によって制御されたハードウェアコンポーネントを介して、デバイス１３０５と相互作用し得る。
【０２０３】
[0212]  図１４は、本開示の態様にしたがった、制御プレーンシグナリングを介したポリシー通信のための方法１４００を例示するフローチャートを示す。方法１４００の動作は、本明細書で説明されるような、ＵＥ１１５またはそのコンポーネントによって実装され得る。例えば、方法１４００の動作は、図６〜図９を参照して説明されるような通信マネージャによって行われ得る。いくつかの例では、ＵＥ１１５は、下記に説明される機能を行うために、デバイスの機能的要素を制御するためのコードのセットを実行し得る。追加的にまたは代替的に、ＵＥ１１５は、専用ハードウェアを使用して、下記で説明される機能の態様を行い得る。
【０２０４】
[0213]  １４０５において、ＵＥ１１５は、ＵＥによって、ＵＥに関連付けられたポリシー情報を含む第１のＮＡＳメッセージを、制御プレーンを介して受信し得る。１４０５の動作は、本明細書で説明された方法にしたがって行われ得る。ある特定の例では、ブロック１４０５の動作の態様は、図６〜図９を参照して説明されるような受信機によって行われ得る。
【０２０５】
[0214]  １４１０において、ＵＥ１１５は、第１のＮＡＳメッセージを受信することに少なくとも部分的に基づいて、ポリシー情報を識別し得る。１４１０の動作は、本明細書で説明された方法にしたがって行われ得る。ある特定の例では、ブロック１４１０の動作の態様は、図６〜図９を参照して説明されるようなポリシーマネージャによって行われ得る。
【０２０６】
[0215]  １４１５において、ＵＥ１１５は、受信したポリシー情報に少なくとも部分的に基づいて、ＵＥによって記憶されたポリシー情報を更新し得る。１４１５の動作は、本明細書で説明された方法にしたがって行われ得る。ある特定の例では、ブロック１４１５の動作の態様は、図６〜図９を参照して説明されるようなポリシーマネージャによって行われ得る。
【０２０７】
[0216]  図１５は、本開示の１つまたは複数の態様による、制御プレーンシグナリングを介したポリシー通信のための方法１５００を例示するフローチャートを示す。方法１５００の動作は、本明細書で説明されるような、コアネットワークエンティティ１２０または２２５、あるいはそのコンポーネントによって実装され得る。例えば、方法１５００の動作は、図１０〜図１３を参照して説明されるようなコアネットワークエンティティ通信マネージャによって行われ得る。いくつかの例では、コアネットワークエンティティ１２０または２２５は、下記に説明される機能を行うために、デバイスの機能的要素を制御するためのコードのセットを実行し得る。追加的にまたは代替的に、コアネットワークエンティティ１２０または２２５は、専用ハードウェアを使用して、下記に説明される機能の態様を行い得る。
【０２０８】
[0217]  ブロック１５０５において、コアネットワークエンティティ１２０または２２５は、ＵＥがそのＵＥに関連付けられたポリシー情報をコアネットワークから受信すべきことを示す、ポリシープロビジョニングトリガを識別し得る。ブロック１５０５の動作は、図１〜図５を参照して説明される方法にしたがって行われ得る。ある特定の例では、ブロック１５０５の動作の態様は、図１０〜図１３を参照して説明されるようなトリガマネージャによって行われ得る。
【０２０９】
[0218]  ブロック１５１０において、コアネットワークエンティティ１２０または２２５は、ポリシープロビジョニングトリガに少なくとも部分的に基づいて、ポリシー情報を識別し得る。ブロック１５１０の動作は、図１〜図５を参照して説明される方法にしたがって行われ得る。ある特定の例では、ブロック１５１０の動作の態様は、図１０〜図１３を参照して説明されるようなポリシーマネージャによって行われ得る。
【０２１０】
[0219]  ブロック１５１５において、コアネットワークエンティティ１２０または２２５は、制御プレーンシグナリングを介してＵＥに第１のメッセージを送信し得、第１のメッセージは、識別されたポリシー情報を含む。ブロック１５１５の動作は、図１〜図５を参照して説明される方法にしたがって行われ得る。ある特定の例では、ブロック１５１５の動作の態様は、図１０〜図１３を参照して説明されるような送信機によって行われ得る。
【０２１１】
[0220]  図１６は、本開示の１つまたは複数の態様による、制御プレーンシグナリングを介したポリシー通信のための方法１６００を例示するフローチャートを示す。方法１６００の動作は、本明細書で説明されるような、ＵＥ１１５またはそのコンポーネントによって実装され得る。例えば、方法１６００の動作は、図６〜図９を参照して説明されるようなＵＥ通信マネージャによって行われ得る。いくつかの例では、ＵＥ１１５は、下記に説明される機能を行うために、デバイスの機能的要素を制御するためのコードのセットを実行し得る。追加的にまたは代替的に、ＵＥ１１５は、専用ハードウェアを使用して、下記に説明される機能の態様を行い得る。
【０２１２】
[0221]  ブロック１６０５において、ＵＥ１１５は、ＵＥがそのＵＥに関連付けられたポリシー情報をコアネットワークから受信すべきことを示す、ポリシープロビジョニングトリガを識別し得る。ブロック１６０５の動作は、図１〜図５を参照して説明される方法にしたがって行われ得る。ある特定の例では、ブロック１６０５の動作の態様は、図６〜図９を参照して説明されるようなトリガマネージャによって行われ得る。
【０２１３】
[0222]  ブロック１６１０において、ＵＥ１１５は、コアネットワークにポリシー情報を要求する第１のＮＡＳメッセージを、制御プレーンを介して送信し得る。ブロック１６１０の動作は、図１〜図５を参照して説明される方法にしたがって行われ得る。ある特定の例では、ブロック１６１０の動作の態様は、図６〜図９を参照して説明されるような送信機によって行われ得る。
【０２１４】
[0223]  ブロック１６１５において、ＵＥ１１５は、ポリシー情報を含む第２のＮＡＳメッセージを、制御プレーンを介して受信し得、第２のＮＡＳメッセージは、第１のＮＡＳメッセージに少なくとも部分的に基づく。ブロック１６１５の動作は、図１〜図５を参照して説明される方法にしたがって行われ得る。ある特定の例では、ブロック１６１５の動作の態様は、図６〜図９を参照して説明されるような受信機によって実行され得る。
【０２１５】
[0224]  図１７は、本開示の１つまたは複数の態様による、制御プレーンシグナリングを介したポリシー通信のための方法１７００を例示するフローチャートを示す。方法１７００の動作は、本明細書で説明されるような、ＵＥ１１５またはそのコンポーネントによって実装され得る。例えば、方法１７００の動作は、図６〜図９を参照して説明されるようなＵＥ通信マネージャによって行われ得る。いくつかの例では、ＵＥ１１５は、下記に説明される機能を行うために、デバイスの機能的要素を制御するためのコードのセットを実行し得る。追加的にまたは代替的に、ＵＥ１１５は、専用ハードウェアを使用して、下記に説明される機能の態様を行い得る。
【０２１６】
[0225]  ブロック１７０５において、ＵＥ１１５は、更新されるべき個々のポリシーを識別し得、第１のＮＡＳメッセージは、個々のポリシーを示すデータを含む。ブロック１７０５の動作は、図１〜図５を参照して説明される方法にしたがって行われ得る。ある特定の例では、ブロック１７０５の動作の態様は、図６〜図９を参照して説明されるようなポリシーマネージャによって行われ得る。
【０２１７】
[0226]  ブロック１７１０において、ＵＥ１１５は、個々のポリシーを識別することに少なくとも部分的に基づいて、ＵＥがそのＵＥに関連付けられたポリシー情報をコアネットワークから受信すべきことを示す、ポリシープロビジョニングトリガを識別し得る。ブロック１７１０の動作は、図１〜図５を参照して説明される方法にしたがって行われ得る。ある特定の例では、ブロック１７１０の動作の態様は、図６〜図９を参照して説明されるようなトリガマネージャによって行われ得る。
【０２１８】
[0227]  ブロック１７１５において、ＵＥ１１５は、コアネットワークにポリシー情報を要求する第１のＮＡＳメッセージを、制御プレーンを介して送信し得る。ブロック１７１５の動作は、図１〜図５を参照して説明される方法にしたがって行われ得る。ある特定の例では、ブロック１７１５の動作の態様は、図６〜図９を参照して説明されるような送信機によって行われ得る。
【０２１９】
[0228]  ブロック１７２０において、ＵＥ１１５は、ポリシー情報を含む第２のＮＡＳメッセージを、制御プレーンを介して受信し得、第２のＮＡＳメッセージは、第１のＮＡＳメッセージに少なくとも部分的に基づく。ブロック１７２０の動作は、図１〜図５を参照して説明される方法にしたがって行われ得る。ある特定の例では、ブロック１７２０の動作の態様は、図６〜図９を参照して説明されるような受信機によって実行され得る。
【０２２０】
[0229]  １７２５において、ＵＥ１１５は、受信したポリシー情報に少なくとも部分的に基づいて、ＵＥによって記憶されたポリシー情報を更新し得る。ブロック１７２５の動作は、図１〜図５を参照して説明される方法にしたがって行われ得る。ある特定の例では、ブロック１７２５の動作の態様は、図６〜図９を参照して説明されるようなポリシーマネージャによって行われ得る。
【０２２１】
[0230]  図１８は、本開示の１つまたは複数の態様による、制御プレーンシグナリングを介したポリシー通信のための方法１８００を例示するフローチャートを示す。方法１８００の動作は、本明細書で説明されるような、ＵＥ１１５またはそのコンポーネントによって実装され得る。例えば、方法１８００の動作は、図６〜図９を参照して説明されるようなＵＥ通信マネージャによって行われ得る。いくつかの例では、ＵＥ１１５は、下記に説明される機能を行うために、デバイスの機能的要素を制御するためのコードのセットを実行し得る。追加的にまたは代替的に、ＵＥ１１５は、専用ハードウェアを使用して、下記に説明される機能の態様を行い得る。
【０２２２】
[0231]  １８０５において、ＵＥ１１５は、ＵＥによって、ＵＥに関連付けられたポリシー情報を含むＮＡＳメッセージを、制御プレーンを介して受信し得る。ブロック１８０５の動作は、図１〜図５を参照して説明される方法にしたがって行われ得る。ある特定の例では、ブロック１８０５の動作の態様は、図６〜図９を参照して説明されるような受信機によって実行され得る。
【０２２３】
[0232]  １８１０において、ＵＥ１１５は、受信したポリシー情報に少なくとも部分的に基づいて、ＵＥによって記憶されたポリシー情報を更新し得る。ブロック１８１０の動作は、図１〜図５を参照して説明される方法にしたがって行われ得る。ある特定の例では、ブロック１８１０の動作の態様は、図６〜図９を参照して説明されるようなポリシーマネージャによって行われ得る。
【０２２４】
[0233]  上記で説明された方法は、可能な実装およびその動作を説明しており、動作は、再構成され得るかまたはそうでなければ修正され得、他の実装が可能であることに留意されたい。さらに、これら方法のうちの２つ以上からの態様が組み合わせられ得る。
【０２２５】
[0234]  本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなどの、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上無線アクセス（ＵＴＲＡ）などのような無線技術を実装し得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００ １Ｘ、１Ｘなどと呼ばれる。ＩＳ−８５６（ＴＩＡ−８５６）は、一般に、ＣＤＭＡ２０００ １ｘＥＶ−ＤＯ、高速パケットデータ（ＨＲＰＤ）などと呼ばれる。ＵＴＲＡは、ワイドバンドＣＤＭＡ（ＷＣＤＭＡ（登録商標））およびＣＤＭＡの他の形態を含む。ＴＤＭＡシステムは、モバイル通信用グローバルシステム（ＧＳＭ（登録商標）：Global System for Mobile Communications）などの無線技術を実装し得る。
【０２２６】
[0235]  ＯＦＤＭＡシステムは、ウルトラモバイルブロードバンド（ＵＭＢ）、発展型ＵＴＲＡ（Ｅ−ＵＴＲＡ）、電気電子技術者協会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュＯＦＤＭなどの無線技術を実装し得る。ＵＴＲＡおよびＥ−ＵＴＲＡは、ユニバーサルモバイルテレコミュニケーションシステム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書に説明される技法は、上述されたシステムおよび無線技術、並びに他のシステムおよび無線技術に使用され得る。ＬＴＥまたはＮＲシステムの態様が例示の目的で説明され得、ＬＴＥまたはＮＲの専門用語が説明の大部分において使用され得るが、本明細書で説明される技法は、ＬＴＥまたはＮＲアプリケーションを超えて適用可能である。
【０２２７】
[0236]  本明細書で説明されたそのようなネットワークを含むＬＴＥ／ＬＴＥ−Ａネットワークでは、発展型ノードＢ（ｅＮＢ）という用語は概して、基地局を説明するために使用され得る。ワイヤレス通信システムまたは本明細書で説明されるシステムは、異なるタイプのｅＮＢが様々な地理的領域に対してカバレッジを提供する異種ＬＴＥ／ＬＴＥ−Ａネットワークを含み得る。例えば、各ｅＮＢ、次世代ｅノードＢ（ｇＮＢ）または基地局は、マクロセル、スモールセル、または他のタイプのセルに対して通信カバレッジを提供し得る。「セル」という用語は、コンテキストに応じて、基地局、基地局に関連付けられたキャリアまたはコンポーネントキャリア、あるいはキャリアまたは基地局のカバレッジエリア（例えば、セクタなど）を説明するために使用され得る。
【０２２８】
[0237]  基地局は、当業者によって、基地トランシーバ局、無線基地局、アクセスポイント、無線トランシーバ、ノードＢ、ｅノードＢ（ｅＮＢ）、ｇＮＢ、ホームノードＢ、ホームｅノードＢ、または何らかの他の適した専門用語で呼ばれ得るか、あるいはそれらを含み得る。基地局に対する地理的カバレッジエリアは、カバレッジエリアの一部分のみを構成するセクタに分割され得る。ワイヤレス通信システムまたは本明細書で説明されたシステムは、異なるタイプの基地局（例えば、マクロまたはスモールセル基地局）を含み得る。本明細書で説明されるＵＥは、マクロｅＮＢ、スモールセルｅＮＢ、ｇＮＢ、中継基地局などを含む様々なタイプの基地局およびネットワーク機器と通信することが可能であり得る。異なる技術のために重複している地理的カバレッジエリアが存在し得る。
【０２２９】
[0238]  マクロセルは、概して、比較的大きい地理的エリア（例えば、半径数キロメートル）をカバーし、サービスに加入しているＵＥによるネットワークプロバイダとの無制限アクセスを可能にし得る。スモールセルは、マクロセルと同じまたは異なる（例えば、ラインセンス、アンライセンスなどの）周波数帯域で動作し得る、マクロセルと比較してより低い電力の基地局である。スモールセルは、様々な例によると、ピコセル、フェムトセル、およびマイクロセルを含み得る。ピコセルは、例えば、小さい地理的エリアをカバーし、ネットワークプロバイダにサービス加入しているＵＥによる無制限のアクセスを可能にし得る。フェムトセルもまた、小さい地理的エリア（例えば、家）をカバーし、フェムトセルとのアソシエーションを有するＵＥ（例えば、クローズド加入者グループ（ＣＳＧ：closed subscriber group）中のＵＥ、家の中にいるユーザのためのＵＥなど）による制限されたアクセスを提供し得る。マクロセルのためのｅＮＢはマクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つなど）のセル（例えば、コンポーネントキャリア）をサポートし得る。
【０２３０】
[0239]  本明細書で説明された１つまたは複数のワイヤレス通信システムは、同期または非同期動作をサポートし得る。同期動作の場合、基地局は、同様のフレームタイミングを有し、異なる基地局からの送信は、時間的に大まかにアラインされ得る。非同期動作について、基地局は、異なるフレームタイミングを有し得、また異なる基地局からの送信は、時間的にアラインされない可能性がある。本明細書で説明する技法は、同期動作または非同期動作のいずれかのために使用され得る。
【０２３１】
[0240]  本明細書で説明されるダウンリンク送信はまた、順方向リンク送信と呼ばれ得、一方アップリンク送信はまた、逆方向リンク送信と呼ばれ得る。例えば、図１および２のワイヤレス通信システム１００および２００を含む、本明細書で説明された各通信リンクは、１つまたは複数のキャリアを含み得、ここで、各キャリアは、複数のサブキャリア（例えば、異なる周波数の波形信号）から成る信号であり得る。
【０２３２】
[0241]  添付された図面に関連して本明細書に記載された説明は、例となる構成を説明しており、実装され得るまたは特許請求の範囲内にある全ての例を表してはいない。本明細書で使用される「例示的な」という用語は、「例、事例、または例示としての役割を果たすこと」を意味しており、「好ましい」または「他の例より有利である」ことを意味するわけではない。詳細な説明は、説明された技法の理解を提供する目的で、特定の詳細を含む。しかしながら、これらの技法は、これらの特定の詳細がなくとも実装され得る。ある場合には、周知の構造およびデバイスは、説明された例の概念を曖昧にすることを避けるために、ブロック図形式で示されている。
【０２３３】
[0242]  添付された図面では、同様のコンポーネントまたは特徴は、同じ参照ラベルを有し得る。さらに、同じタイプの様々なコンポーネントは、参照ラベルの後に、ダッシュと、それらの同様のコンポーネント間を区別する第２のラベルとを続けることによって区別され得る。第１の参照ラベルのみが本明細書において使用される場合、その説明は、第２の参照ラベルに関わらず、同じ第１の参照ラベルを有する同様のコンポーネントのうちの任意の１つに適用可能である。
【０２３４】
[0243]  本明細書で説明された情報および信号は、様々な異なる技術および技法のうちの任意のものを使用して表わされ得る。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２３５】
[0244]  本明細書での開示に関連して説明された様々な例示的なブロックおよびモジュールは、汎用プロセッサ、ＤＳＰ、ＡＳＩＣ、ＦＰＧＡまたは他のプログラマブル論理デバイス、ディスクリートゲートまたはトランジスタ論理、ディスクリートハードウェアコンポーネント、あるいは本明細書で説明された機能を行うように設計されたそれらの任意の組合せを用いて実装されるか、または行われ得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ（例えば、ＤＳＰとマイクロプロセッサとの組合せ、複数のマイクロプロセッサ、ＤＳＰコアと連携する１つまたは複数のマイクロプロセッサ、あるいは任意の他のそのような構成）として実装され得る。
【０２３６】
[0245]  本明細書で説明される機能は、ハードウェア、プロセッサによって実行されるソフトウェア、ファームウェア、またはそれらの任意の組み合わせにおいて実装され得る。プロセッサによって実行されるソフトウェアに実装される場合、機能は、１つまたは複数の命令またはコードとしてコンピュータ可読媒体上で記憶されるか、またはそれを介して送信され得る。他の例および実装は、本開示および添付された特許請求の範囲内にある。例えば、ソフトウェアの性質により、上述される機能は、プロセッサによって実行されるソフトウェア、ハードウェア、ファームウェア、ハードワイヤリング、またはこれらの任意の組み合わせを使用して実装され得る。機能を実装する特徴はまた、機能の部分が、異なる物理的ロケーションで実装されるように分散されることを含む、様々な場所に物理的に位置付けられ得る。また、請求項を含めて、本明細書で使用されるとき、項目のリストにおいて使用される「または」（例えば、「〜のうちの少なくとも１つ」あるいは「〜のうちの１つまたは複数」などのフレーズによって前置きされる項目のリスト）は、例えばＡ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するように、包括的なリストを示す。また、本明細書で使用される場合、「〜に基づいて」というフレーズは、条件の閉集合への参照として解釈されないものとする。例えば、「条件Ａに基づく」と説明される例示的な動作は、本開示の範囲から逸脱することなく、条件Ａおよび条件Ｂの両方に基づき得る。言い換えると、本明細書で使用されるとき、「〜に基づく」というフレーズは、「〜に少なくとも部分的に基づく」というフレーズと同じ方法で解釈されることとなる。
【０２３７】
[0246]  コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用または特殊用途コンピュータによってアクセスされることができる任意の利用可能な媒体であり得る。限定はされないが、例として、非一時的コンピュータ可読媒体は、ＲＡＭ、ＲＯＭ、電気的消去可能プログラマブル読み取り専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望のプログラムコード手段を記憶または搬送するために使用されることができ、汎用または特殊用途コンピュータ、あるいは汎用または特殊用途プロセッサによってアクセスされることができる、任意の他の非一時的な媒体を備え得る。さらに、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、あるいは、赤外線、無線、およびマイクロ波などのワイヤレス技術は、媒体の定義に含まれる。本明細書で使用されるとき、ディスク（disk）およびディスク（disc）は、ＣＤ、レーザーディスク（登録商標）、光ディスク、デジタル多目的ディスク（ＤＶＤ）、フロッピー（登録商標）ディスクおよびブルーレイ（登録商標）ディスクを含み、ここで、ディスク（disks）は、通常磁気的にデータを再生し、一方ディスク（discs）は、レーザーを用いて光学的にデータを再生する。上記の組み合わせもまた、コンピュータ可読媒体の範囲内に含まれる。
【０２３８】
[0247]  本明細書における説明は、当業者が本開示を製造または使用することを可能にするために提供される。本開示への様々な修正は当業者には容易に明らかであり、本明細書で定義した一般原理は、本開示の範囲から逸脱することなく他のバリエーションに適用できる。よって、本開示は、本明細書に説明される例および設計に限定されるものではなく、本明細書に開示された原理および新規な特徴に合致する最も広い範囲が与えられるべきものである。
以下に本願の出願当初の特許請求の範囲に記載された発明を付記する。
［Ｃ１］
ワイヤレス通信のための方法であって、
ユーザ機器（ＵＥ）によって、前記ＵＥに関連付けられたポリシー情報を含む第１の非アクセス層（ＮＡＳ）メッセージを、制御プレーンを介して受信することと、
前記第１のＮＡＳメッセージを受信することに少なくとも部分的に基づいて、前記ポリシー情報を識別することと、
前記受信したポリシー情報に少なくとも部分的に基づいて、前記ＵＥによって記憶された前記ポリシー情報を更新することと、
を備える、方法。
［Ｃ２］
前記受信したポリシー情報をどのコアネットワークエンティティが生成したかに少なくとも部分的に基づいて、前記受信したポリシー情報を優先順位付けすることをさらに備え、前記ポリシー情報を更新することは、前記優先順位付けに少なくとも部分的に基づく、Ｃ１に記載の方法。
［Ｃ３］
訪問先コアネットワークから受信した前記ポリシー情報の第１のサブセットを、前記ＵＥのホームコアネットワークから受信した前記ポリシー情報の第２のサブセットよりも優先することをさらに備え、前記ポリシー情報を更新することは、前記優先順位付けに少なくとも部分的に基づく、Ｃ１に記載の方法。
［Ｃ４］
前記第１のＮＡＳメッセージを受信することに少なくとも部分的に基づいて、前記制御プレーンを介して確認応答ＮＡＳメッセージを送信することをさらに備える、Ｃ１に記載の方法。
［Ｃ５］
ＵＥが前記ＵＥに関連付けられた前記ポリシー情報をコアネットワークから受信すべきであることを示すポリシープロビジョニングトリガを識別することと、
前記コアネットワークに前記ポリシー情報を要求する第２のＮＡＳメッセージを、前記制御プレーンを介して送信することと、ここにおいて、前記第１のＮＡＳメッセージを受信することは、前記第２のＮＡＳメッセージを送信することに少なくとも部分的に基づく、
をさらに備える、Ｃ１に記載の方法。
［Ｃ６］
更新されるべき個々のポリシーを識別することをさらに備え、前記第２のＮＡＳメッセージは、前記個々のポリシーを示すデータを含み、ここにおいて、前記ポリシープロビジョニングトリガを識別することは、前記個々のポリシーを識別することに少なくとも部分的に基づく、Ｃ５に記載の方法。
［Ｃ７］
前記ＵＥのロケーションを識別することをさらに備え、前記ポリシープロビジョニングトリガを識別することは、前記ロケーションを識別することに少なくとも部分的に基づく、Ｃ５に記載の方法。
［Ｃ８］
前記制御プレーンを介して通信されることが可能な前記ポリシー情報の第１のサブセットを示す許可メッセージを受信することをさらに備え、前記第２のＮＡＳメッセージを送信することは、前記ポリシー情報の前記第１のサブセットに少なくとも部分的に基づく、Ｃ５に記載の方法。
［Ｃ９］
前記第２のＮＡＳメッセージは、任意の特定のポリシー情報識別子を除いた前記ポリシー情報を求める要求を含む、Ｃ５に記載の方法。
［Ｃ１０］
前記第２のＮＡＳメッセージは、登録要求メッセージ、サービス要求メッセージ、ＮＡＳトランスポートメッセージ、またはセッション管理メッセージのうちの１つである、Ｃ５に記載の方法。
［Ｃ１１］
前記第１のＮＡＳメッセージは、前記ＵＥがポリシー要求メッセージを送信することなく生成される、Ｃ１に記載の方法。
［Ｃ１２］
ワイヤレス通信のための方法であって、
ユーザ機器（ＵＥ）が前記ＵＥに関連付けられたポリシー情報をコアネットワークから受信すべきであることを示すポリシープロビジョニングトリガを識別することと、
前記ポリシープロビジョニングトリガに少なくとも部分的に基づいて、前記ポリシー情報を識別することと、
制御プレーンシグナリングを介して前記ＵＥに第１のメッセージを送信することと、前記第１のメッセージは、前記識別されたポリシー情報を含む、
を備える、方法。
［Ｃ１３］
制御プレーンシグナリングを介して前記ＵＥから第２のメッセージを受信することをさらに備え、前記第２のメッセージは、前記コアネットワークに前記ポリシー情報を要求し、前記ポリシープロビジョニングトリガを識別することは、前記第２のメッセージを受信することに少なくとも部分的に基づく、Ｃ１２に記載の方法。
［Ｃ１４］
ポリシーの変更を識別することをさらに備え、前記ポリシープロビジョニングトリガを識別することは、前記ポリシーの前記変更に少なくとも部分的に基づく、Ｃ１２に記載の方法。
［Ｃ１５］
前記ＵＥのロケーションの変更を識別することをさらに備え、前記ポリシープロビジョニングトリガを識別することは、前記ロケーションの前記変更に少なくとも部分的に基づく、Ｃ１２に記載の方法。
［Ｃ１６］
ホームコアネットワークではなく訪問先コアネットワークに前記ＵＥが接続されるように前記ＵＥがローミングすると識別することをさらに備える、Ｃ１２に記載の方法。
［Ｃ１７］
訪問先コアネットワークエンティティによって、ホームポリシー管理エンティティに直接前記ポリシー情報を要求することをさらに備える、Ｃ１２に記載の方法。
［Ｃ１８］
第１の訪問先コアネットワークエンティティによって、前記ＵＥに関連付けられた訪問先ポリシー管理エンティティに前記ポリシー情報を要求することをさらに備える、Ｃ１２に記載の方法。
［Ｃ１９］
前記訪問先ポリシー管理エンティティによって、前記ＵＥに関連付けられたホームポリシー管理エンティティに前記ポリシー情報を要求することをさらに備える、Ｃ１８に記載の方法。
［Ｃ２０］
競合解消プロシージャに少なくとも部分的に基づいて、前記ホームポリシー管理エンティティからのポリシー情報と前記訪問先ポリシー管理エンティティからのポリシー情報とを組み合わせることをさらに備え、前記第１のメッセージは、前記組み合わせられたポリシー情報を含む、Ｃ１９に記載の方法。
［Ｃ２１］
前記訪問先ポリシー管理エンティティによって、前記ＵＥに関連付けられたホームポリシー管理エンティティにポリシー情報を要求するかどうかを決定することさらに備える、Ｃ１８に記載の方法。
［Ｃ２２］
前記第１のメッセージを送信することに少なくとも部分的に基づいて、前記ＵＥから制御プレーンシグナリングを介して確認応答メッセージを受信することをさらに備える、Ｃ１２に記載の方法。
［Ｃ２３］
前記ＵＥが制御プレーンを介して受信することを許可されるのがどのポリシー情報であるかを識別することをさらに備え、前記第１のメッセージを送信することは、前記識別することに少なくとも部分的に基づく、Ｃ１２に記載の方法。
［Ｃ２４］
前記ＵＥが接続モードにあるか、またはアイドルモードにあるかを決定することをさらに備え、前記第１のメッセージを送信することは、前記決定することに少なくとも部分的に基づく、Ｃ１２に記載の方法。
［Ｃ２５］
前記第１の制御メッセージは、非アクセス層（ＮＡＳ）メッセージである、Ｃ１２に記載の方法。
［Ｃ２６］
ワイヤレス通信のための装置であって、
ユーザ機器（ＵＥ）によって、前記ＵＥに関連付けられたポリシー情報を含む第１の非アクセス層（ＮＡＳ）メッセージを、制御プレーンを介して受信するための手段と、
前記第１のＮＡＳメッセージを受信することに少なくとも部分的に基づいて、前記ポリシー情報を識別するための手段と、
前記受信したポリシー情報に少なくとも部分的に基づいて、前記ＵＥによって記憶された前記ポリシー情報を更新するための手段と、
を備える、装置。
［Ｃ２７］
前記受信したポリシー情報をどのコアネットワークエンティティが生成したかに少なくとも部分的に基づいて、前記受信したポリシー情報を優先順位付けするための手段をさらに備え、前記ポリシー情報を更新することは、前記優先順位付けに少なくとも部分的に基づく、Ｃ２６に記載の装置。
［Ｃ２８］
前記第１のＮＡＳメッセージを受信することに少なくとも部分的に基づいて、前記制御プレーンを介して確認応答ＮＡＳメッセージを送信するための手段をさらに備える、Ｃ２６に記載の装置。
［Ｃ２９］
ＵＥが前記ＵＥに関連付けられた前記ポリシー情報をコアネットワークから受信すべきであることを示すポリシープロビジョニングトリガを識別するための手段と、
前記コアネットワークに前記ポリシー情報を要求する第２のＮＡＳメッセージを、前記制御プレーンを介して送信するための手段と、ここにおいて、前記第１のＮＡＳメッセージを受信することは、前記第２のＮＡＳメッセージを送信することに少なくとも部分的に基づく、
をさらに備える、Ｃ２６に記載の装置。
［Ｃ３０］
ワイヤレス通信のための装置であって、
ユーザ機器（ＵＥ）が前記ＵＥに関連付けられたポリシー情報をコアネットワークから受信すべきであることを示すポリシープロビジョニングトリガを識別するための手段と、
前記ポリシープロビジョニングトリガに少なくとも部分的に基づいて、前記ポリシー情報を識別するための手段と、
制御プレーンシグナリングを介して前記ＵＥに第１のメッセージを送信するための手段と、前記第１のメッセージは、前記識別されたポリシー情報を含む、
を備える、装置。
【図１】
0006794558.tif 000002
【図２】
0006794558.tif 000003
【図３】
0006794558.tif 000004
【図４】
0006794558.tif 000005
【図５】
0006794558.tif 000006
【図６】
0006794558.tif 000007
【図７】
0006794558.tif 000008
【図８】
0006794558.tif 000009
【図９】
0006794558.tif 000010
【図１０】
0006794558.tif 000011
【図１１】
0006794558.tif 000012
【図１２】
0006794558.tif 000013
【図１３】
0006794558.tif 000014
【図１４】
0006794558.tif 000015
【図１５】
0006794558.tif 000016
【図１６】
0006794558.tif 000017
【図１７】
0006794558.tif 000018
【図１８】
0006794558.tif 000019